(57)【要約】  本出願は、情報伝送方法、端末装置、およびネットワーク装置を提供する。本方法は、端末装置によって、端末装置のキャリアアグリゲーション能力およびベースバンド能力を決定するステップであって、キャリアアグリゲーション能力は、端末装置によってサポートされるキャリアアグリゲーション・グループ内のキャリアの数、およびキャリアの帯域幅を含み、ベースバンド能力は、複数入力複数出力MIMO能力、およびチャネル状態情報CSI能力のうちの少なくとも1つを含む、ステップと、端末装置によって、キャリアアグリゲーション能力およびベースバンド能力をネットワーク装置に送信するステップと、キャリアアグリゲーション・グループ能力およびベースバンド能力に基づいてネットワーク装置によって送信された構成情報を、端末装置によって受信するステップであって、構成情報は、端末装置がキャリアアグリゲーション・グループで動作するときに、端末装置によって使用される目標ベースバンド能力を構成するために使用される、ステップとを含む。本願で提供される情報伝送方法、端末装置、およびネットワーク装置によれば、シグナリングオーバーヘッドが最適化され得る。
2020535750.tif 000002
【特許請求の範囲】
【請求項１】
端末装置によって、前記端末装置のキャリアアグリゲーション能力およびベースバンド能力を決定するステップであって、前記キャリアアグリゲーション能力が、前記端末装置によってサポートされるキャリアアグリゲーション・グループ内のキャリアの数、およびキャリアの帯域幅を含み、前記ベースバンド能力が、複数入力複数出力MIMO能力、およびチャネル状態情報CSI能力のうちの少なくとも1つを含み、前記MIMO能力が、前記端末装置によって処理されることが可能なMIMO層の数を示すために使用され、前記CSI能力が、前記端末装置によって処理されることが可能なCSI処理の数を示すために使用される、ステップと、
前記端末装置によって、前記キャリアアグリゲーション能力および前記ベースバンド能力をネットワーク装置に送信するステップと、
前記キャリアアグリゲーション能力および前記ベースバンド能力に基づいて前記ネットワーク装置によって送信された構成情報を、前記端末装置によって受信するステップであって、前記構成情報が、前記端末装置が前記キャリアアグリゲーション・グループ内の各キャリアで動作するときに、前記端末装置によって使用される目標ベースバンド能力を構成するために使用される、ステップと
を含む、情報伝送方法。
【請求項２】
前記方法が、
前記端末装置によって、前記端末装置のアンテナ能力を決定するステップであって、前記アンテナ能力が、少なくとも1つの帯域のそれぞれにおいて前記端末装置によってサポートされるアンテナ数、および少なくとも1つの帯域の組み合わせのそれぞれにおいて前記端末装置によってサポートされる総アンテナ数のうちの、少なくとも1つを示すために使用される、ステップをさらに含み、
前記端末装置によって、前記キャリアアグリゲーション能力および前記ベースバンド能力をネットワーク装置に送信する前記ステップが、
前記端末装置によって、前記キャリアアグリゲーション能力、前記ベースバンド能力、および前記アンテナ能力を前記ネットワーク装置に送信するステップを含み、
前記キャリアアグリゲーション能力および前記ベースバンド能力に基づいて前記ネットワーク装置によって送信された構成情報を、前記端末装置によって受信する前記ステップが、
前記キャリアアグリゲーション能力、前記ベースバンド能力、および前記アンテナ能力に基づいて前記ネットワーク装置によって送信された前記構成情報を、前記端末装置によって受信するステップを含む、
請求項1に記載の方法。
【請求項３】
前記ベースバンド能力が前記MIMO能力を含み、前記方法が、
前記端末装置によって、前記キャリアアグリゲーション・グループ内の各キャリアで前記端末装置によってサポートされるMIMO能力が、前記ベースバンド能力によって示される前記MIMO能力に到達可能かどうかを判定するステップをさらに含み、
前記端末装置によって、前記キャリアアグリゲーション能力および前記ベースバンド能力をネットワーク装置に送信する前記ステップが、
前記端末装置が、前記キャリアアグリゲーション・グループ内の前記キャリアで前記端末装置によってサポートされる前記MIMO能力が、前記ベースバンド能力によって示される前記MIMO能力に到達可能であると判定したときに、前記キャリアアグリゲーション能力および前記ベースバンド能力を前記ネットワーク装置に送信するステップであって、前記キャリアアグリゲーション能力が、前記キャリアアグリゲーション・グループ内の任意のキャリアで前記端末装置によってサポートされる前記MIMO能力を含んでいない、ステップ、または、
前記端末装置が、前記キャリアアグリゲーション・グループの第1のキャリアで前記端末装置によってサポートされるMIMO能力が、前記ベースバンド能力によって示される前記MIMO能力に到達できないと判定したときに、前記キャリアアグリゲーション能力および前記ベースバンド能力を前記ネットワーク装置に送信するステップであって、前記キャリアアグリゲーション能力が、前記第1のキャリアで前記端末装置によってサポートされる前記MIMO能力をさらに含んでいる、ステップを含む、
請求項1に記載の方法。
【請求項４】
端末装置によって、前記端末装置のキャリアアグリゲーション能力およびベースバンド能力を決定する前記ステップの前に、前記方法が、
前記ネットワーク装置によって送信された要求メッセージを前記端末装置によって受信するステップであって、前記要求メッセージが第2の情報を搬送し、前記第2の情報が、報告されるべきベースバンド能力範囲を決定するために前記端末装置によって使用される、ステップをさらに含み、
端末装置によって、前記端末装置のキャリアアグリゲーション能力およびベースバンド能力を決定する前記ステップが、
前記端末装置によって、前記第2の情報に基づいて前記ベースバンド能力を決定するステップであって、前記ベースバンド能力が、前記第2の情報に基づいて前記端末装置によって決定された前記ベースバンド能力範囲を満たす、ステップを含む、
請求項1から3のいずれか一項に記載の方法。
【請求項５】
前記第2の情報が、前記端末装置が報告することを要求されるキャリアアグリゲーション・グループ範囲を含み、前記キャリアアグリゲーション・グループ範囲が、要求最大MIMO層数、要求最大CSI処理数、前記キャリアアグリゲーション・グループ内の前記キャリアが配置される要求帯域、前記キャリアアグリゲーション・グループ内のキャリアの要求最大帯域幅、および前記キャリアアグリゲーション・グループ内の前記キャリアの要求最大数のうちの少なくとも1つを含み、
前記端末装置によって、前記第2の情報に基づいて前記ベースバンド能力を決定する前記ステップが、
前記端末装置によって、前記キャリアアグリゲーション・グループ範囲に基づいて、前記キャリアアグリゲーション能力を決定するステップであって、前記キャリアアグリゲーション能力が前記キャリアアグリゲーション・グループ範囲を満たす、ステップと、
前記キャリアアグリゲーション能力に基づいて前記ベースバンド能力範囲を決定するステップと、
前記ベースバンド能力範囲に基づいて前記ベースバンド能力を決定するステップであって、前記ベースバンド能力が前記ベースバンド能力範囲を満たす、ステップとを含む、
請求項4に記載の方法。
【請求項６】
前記第2の情報が、前記端末装置が報告することを要求されるベースバンド能力範囲を含み、前記ベースバンド能力範囲が、要求最大MIMO層数、前記キャリアでサポートされる要求最大MIMO層数、要求最大CSI処理数、前記キャリアでサポートされる要求最大CSI処理数、前記キャリアアグリゲーション・グループの要求最大帯域幅、前記キャリアアグリゲーション・グループ内のキャリアの要求最大帯域幅、および前記キャリアアグリゲーション・グループ内の前記キャリアの要求最大数のうちの少なくとも1つを含む、請求項4に記載の方法。
【請求項７】
前記ベースバンド能力が、少なくとも1つの総帯域幅のそれぞれに対応する、キャリアアグリゲーション・グループにおける前記端末装置のベースバンド能力、および前記総帯域幅に対応する、前記キャリアアグリゲーション・グループ内の各キャリアにおける前記端末装置のベースバンド能力を含み、前記総帯域幅が、少なくとも1つのキャリアを含むキャリアアグリゲーション・グループ内の全キャリアの帯域幅の合計である、請求項1から6のいずれか一項に記載の方法。
【請求項８】
前記ベースバンド能力についての情報が、少なくとも1つのキャリア情報のそれぞれに対する前記端末装置のベースバンド能力を含み、前記キャリア情報が、キャリアの数およびキャリアの帯域幅を含む、請求項1から6のいずれか一項に記載の方法。
【請求項９】
端末装置によって送信された、前記端末装置のキャリアアグリゲーション能力およびベースバンド能力をネットワーク装置によって受信するステップであって、前記キャリアアグリゲーション能力が、前記端末装置によってサポートされるキャリアアグリゲーション・グループ内のキャリアの数、およびキャリアの帯域幅を含み、前記ベースバンド能力が、複数入力複数出力MIMO能力、およびチャネル状態情報CSI能力のうちの少なくとも1つを含み、前記MIMO能力が、前記端末装置によって処理されることが可能なMIMO層の数を示すために使用され、前記CSI能力が、前記端末装置によって処理されることが可能なCSI処理の数を示すために使用される、ステップと、
前記ネットワーク装置によって、前記キャリアアグリゲーション能力および前記ベースバンド能力に基づいて、前記端末装置の構成情報を決定するステップであって、前記構成情報が、前記端末装置が前記キャリアアグリゲーション・グループ内の各キャリアで動作するときに、前記端末装置によって使用される目標ベースバンド能力を構成するために使用される、ステップと、
前記ネットワーク装置によって、前記端末装置に前記構成情報を送信するステップと
を含む、情報伝送方法。
【請求項１０】
前記方法が、
前記ネットワーク装置によって、前記端末装置によって送信されたアンテナ能力を受信するステップであって、前記アンテナ能力が、少なくとも1つの帯域のそれぞれにおいて前記端末装置によってサポートされるアンテナ数、および少なくとも1つの帯域の組み合わせのそれぞれにおいて前記端末装置によってサポートされる総アンテナ数のうちの、少なくとも1つを示すために使用される、ステップをさらに含み、
前記ネットワーク装置によって、前記キャリアアグリゲーション能力および前記ベースバンド能力に基づいて、前記端末装置の構成情報を決定する前記ステップが、
前記ネットワーク装置によって、前記キャリアアグリゲーション能力、前記ベースバンド能力、および前記アンテナ能力に基づいて、前記端末装置の前記構成情報を決定する、ステップを含む、
請求項9に記載の方法。
【請求項１１】
ネットワーク装置によって、前記端末装置によって送信された前記端末装置のキャリアアグリゲーション能力およびベースバンド能力を受信する前記ステップの前に、前記方法が、
前記ネットワーク装置によって、前記端末装置に要求メッセージを送信するステップであって、前記要求メッセージが第2の情報を搬送し、前記第2の情報が、報告されるべきベースバンド能力範囲を決定するために前記端末装置によって使用される、ステップをさらに含み、
ネットワーク装置によって、端末装置によって送信された前記端末装置のキャリアアグリゲーション能力およびベースバンド能力を受信する前記ステップが、
前記ネットワーク装置によって、前記第2の情報に基づいて前記端末装置によって送信された前記端末装置の前記キャリアアグリゲーション能力および前記ベースバンド能力を受信するステップを含む、
請求項9または10のいずれか一項に記載の方法。
【請求項１２】
前記第2の情報が、前記端末装置が報告することを要求されるキャリアアグリゲーション・グループ範囲を含み、前記キャリアアグリゲーション・グループ範囲が、要求最大MIMO層数、要求最大CSI処理数、前記キャリアアグリゲーション・グループ内の前記キャリアが配置される要求帯域、前記キャリアアグリゲーション・グループ内のキャリアの要求最大帯域幅、および前記キャリアアグリゲーション・グループ内の前記キャリアの要求最大数のうちの少なくとも1つを含む、請求項11に記載の方法。
【請求項１３】
前記第2の情報が、前記端末装置が報告することを要求されるベースバンド能力範囲を含み、前記ベースバンド能力範囲が、要求最大MIMO層数、前記キャリアでサポートされる要求最大MIMO層数、要求最大CSI処理数、前記キャリアでサポートされる要求最大CSI処理数、前記キャリアアグリゲーション・グループの要求最大帯域幅、前記キャリアアグリゲーション・グループ内のキャリアの要求最大帯域幅、および前記キャリアアグリゲーション・グループ内の前記キャリアの要求最大数のうちの少なくとも1つを含む、請求項11に記載の方法。
【請求項１４】
前記ベースバンド能力が、少なくとも1つの総帯域幅のそれぞれに対応する、キャリアアグリゲーション・グループにおける前記端末装置のベースバンド能力、および前記総帯域幅に対応する、前記キャリアアグリゲーション・グループ内の各キャリアにおける前記端末装置のベースバンド能力を含み、前記総帯域幅が、少なくとも1つのキャリアを含むキャリアアグリゲーション・グループ内の全キャリアの帯域幅の合計である、請求項9から13のいずれか一項に記載の方法。
【請求項１５】
前記ベースバンド能力についての情報が、少なくとも1つのキャリア情報のそれぞれに対する前記端末装置のベースバンド能力を含み、前記キャリア情報が、キャリアの数およびキャリアの帯域幅を含む、請求項9から14のいずれか一項に記載の方法。
【請求項１６】
端末装置であって、
前記端末装置のキャリアアグリゲーション能力およびベースバンド能力を決定するように構成された処理ユニットであって、前記キャリアアグリゲーション能力が、前記端末装置によってサポートされるキャリアアグリゲーション・グループ内のキャリアの数、およびキャリアの帯域幅を含み、前記ベースバンド能力が、複数入力複数出力MIMO能力、およびチャネル状態情報CSI能力のうちの少なくとも1つを含み、前記MIMO能力が、前記端末装置によって処理されることが可能なMIMO層の数を示すために使用され、前記CSI能力が、前記端末装置によって処理されることが可能なCSI処理の数を示すために使用される、処理ユニットと、
前記処理ユニットによって決定された前記キャリアアグリゲーション能力および前記ベースバンド能力をネットワーク装置に送信するように構成された、送信ユニットと、
前記送信ユニットによって送信された前記キャリアアグリゲーション能力および前記ベースバンド能力に基づいて前記ネットワーク装置によって送信された構成情報を受信するように構成された受信ユニットであって、前記構成情報が、前記端末装置が前記キャリアアグリゲーション・グループ内の各キャリアで動作するときに、前記端末装置によって使用される目標ベースバンド能力を構成するために使用される、受信ユニットと
を備える、端末装置。
【請求項１７】
前記処理ユニットが、前記端末装置のアンテナ能力を決定するようにさらに構成され、前記アンテナ能力が、少なくとも1つの帯域のそれぞれにおいて前記端末装置によってサポートされるアンテナ数、および少なくとも1つの帯域の組み合わせのそれぞれにおいて前記端末装置によってサポートされる総アンテナ数のうちの、少なくとも1つを示すために使用され、
前記送信ユニットが、前記キャリアアグリゲーション能力、前記ベースバンド能力、および前記アンテナ能力を前記ネットワーク装置に送信するように特に構成され、
前記受信ユニットが、前記キャリアアグリゲーション能力、前記ベースバンド能力、および前記アンテナ能力に基づいて前記ネットワーク装置によって送信された前記構成情報を受信する、ように特に構成される、請求項16に記載の端末装置。
【請求項１８】
前記ベースバンド能力が前記MIMO能力を含み、
前記処理ユニットが、前記キャリアアグリゲーション・グループ内の各キャリアで前記端末装置によってサポートされるMIMO能力が、前記ベースバンド能力によって示される前記MIMO能力に到達可能かどうかを判定するようにさらに構成され、
前記送信ユニットが、
前記キャリアアグリゲーション・グループ内の前記キャリアで前記端末装置によってサポートされる前記MIMO能力が、前記ベースバンド能力によって示される前記MIMO能力に到達可能であると判定されたときに、前記キャリアアグリゲーション能力および前記ベースバンド能力を前記ネットワーク装置に送信し、前記キャリアアグリゲーション能力が、前記キャリアアグリゲーション・グループ内の任意のキャリアで前記端末装置によってサポートされる前記MIMO能力を含んでいない、または、
前記キャリアアグリゲーション・グループの第1のキャリアで前記端末装置によってサポートされるMIMO能力が、前記ベースバンド能力によって示される前記MIMO能力に到達できないと判定されたときに、前記キャリアアグリゲーション能力および前記ベースバンド能力を前記ネットワーク装置に送信し、前記キャリアアグリゲーション能力が、前記第1のキャリアで前記端末装置によってサポートされる前記MIMO能力をさらに含んでいる、
ように特に構成される、請求項16に記載の端末装置。
【請求項１９】
前記端末装置が前記端末装置の前記キャリアアグリゲーション能力および前記ベースバンド能力を決定する前に、前記受信ユニットが、前記ネットワーク装置によって送信された要求メッセージを受信するようにさらに構成され、前記要求メッセージが第2の情報を搬送し、前記第2の情報が、報告されるべきベースバンド能力範囲を決定するために前記端末装置によって使用され、
前記処理ユニットが、前記第2の情報に基づいて前記ベースバンド能力を決定し、前記ベースバンド能力が、前記第2の情報に基づいて前記端末装置によって決定された前記ベースバンド能力範囲を満たす、ように特に構成される、
請求項16から18のいずれか一項に記載の端末装置。
【請求項２０】
前記第2の情報が、前記端末装置が報告することを要求されるキャリアアグリゲーション・グループ範囲を含み、前記キャリアアグリゲーション・グループ範囲が、要求最大MIMO層数、要求最大CSI処理数、前記キャリアアグリゲーション・グループ内の前記キャリアが配置される要求帯域、前記キャリアアグリゲーション・グループ内の前記キャリアの要求最大帯域幅、および前記キャリアアグリゲーション・グループ内の前記キャリアの要求最大数のうちの少なくとも1つを含み、
前記処理ユニットが、
前記キャリアアグリゲーション・グループ範囲に基づいて前記キャリアアグリゲーション能力を決定し、前記キャリアアグリゲーション能力が前記キャリアアグリゲーション・グループ範囲を満たし、
前記キャリアアグリゲーション能力に基づいて前記ベースバンド能力範囲を決定し、
前記ベースバンド能力範囲に基づいて前記ベースバンド能力を決定し、前記ベースバンド能力が前記ベースバンド能力範囲を満たす、
ように特に構成される、請求項19に記載の端末装置。
【請求項２１】
前記第2の情報が、前記端末装置が報告することを要求されるベースバンド能力範囲を含み、前記ベースバンド能力範囲が、要求最大MIMO層数、前記キャリアでサポートされる要求最大MIMO層数、要求最大CSI処理数、前記キャリアでサポートされる要求最大CSI処理数、前記キャリアアグリゲーション・グループの要求最大帯域幅、前記キャリアアグリゲーション・グループ内のキャリアの要求最大帯域幅、および前記キャリアアグリゲーション・グループ内の前記キャリアの要求最大数のうちの少なくとも1つを含む、請求項19に記載の端末装置。
【請求項２２】
前記ベースバンド能力が、少なくとも1つの総帯域幅のそれぞれに対応する、キャリアアグリゲーション・グループにおける前記端末装置のベースバンド能力、および前記総帯域幅に対応する、前記キャリアアグリゲーション・グループ内の各キャリアにおける前記端末装置のベースバンド能力を含み、前記総帯域幅が、少なくとも1つのキャリアを含むキャリアアグリゲーション・グループ内の全キャリアの帯域幅の合計である、請求項16から21のいずれか一項に記載の端末装置。
【請求項２３】
前記ベースバンド能力についての情報が、少なくとも1つのキャリア情報のそれぞれに対する前記端末装置のベースバンド能力を含み、前記キャリア情報が、キャリアの数およびキャリアの帯域幅を含む、請求項16から21のいずれか一項に記載の端末装置。
【請求項２４】
端末装置によって送信された、前記端末装置のキャリアアグリゲーション能力およびベースバンド能力を受信するように構成された受信ユニットであって、前記キャリアアグリゲーション能力が、前記端末装置によってサポートされるキャリアアグリゲーション・グループ内のキャリアの数、およびキャリアの帯域幅を含み、前記ベースバンド能力が、複数入力複数出力MIMO能力、およびチャネル状態情報CSI能力のうちの少なくとも1つを含み、前記MIMO能力が、前記端末装置によって処理されることが可能なMIMO層の数を示すために使用され、前記CSI能力が、前記端末装置によって処理されることが可能なCSI処理の数を示すために使用される、受信ユニットと、
前記受信ユニットによって受信された前記キャリアアグリゲーション能力および前記ベースバンド能力に基づいて、前記端末装置の構成情報を決定するように構成された処理ユニットであって、前記構成情報が、前記端末装置が前記キャリアアグリゲーション・グループ内の各キャリアで動作するときに、前記端末装置によって使用される目標ベースバンド能力を構成するために使用される、処理ユニットと、
前記処理ユニットによって決定された前記構成情報を前記端末装置に送信するように構成された、送信ユニットと
を備える、ネットワーク装置。
【請求項２５】
前記受信ユニットが、前記端末装置によって送信されたアンテナ能力を受信するようにさらに構成され、前記アンテナ能力が、少なくとも1つの帯域のそれぞれにおいて前記端末装置によってサポートされるアンテナ数、および少なくとも1つの帯域の組み合わせのそれぞれにおいて、前記端末装置によってサポートされる総アンテナ数のうちの少なくとも1つを示すために使用され、
前記処理ユニットが、前記キャリアアグリゲーション能力、前記ベースバンド能力、および前記アンテナ能力に基づいて、前記端末装置の前記構成情報を決定する、ように特に構成される、請求項24に記載のネットワーク装置。
【請求項２６】
前記ネットワーク装置が、前記端末装置によって送信された前記端末装置の前記キャリアアグリゲーション能力および前記ベースバンド能力を受信する前に、前記送信ユニットが、前記端末装置に要求メッセージを送信するようにさらに構成され、前記要求メッセージが第2の情報を搬送し、前記第2の情報が、報告されるべきベースバンド能力範囲を決定するために前記端末装置によって使用され、
前記受信ユニットが、前記第2の情報に基づいて前記端末装置によって送信された、前記端末装置の前記キャリアアグリゲーション能力および前記ベースバンド能力を受信する、ように特に構成される、請求項24に記載のネットワーク装置。
【請求項２７】
前記第2の情報が、前記端末装置が報告することを要求されるキャリアアグリゲーション・グループ範囲を含み、前記キャリアアグリゲーション・グループ範囲が、要求最大MIMO層数、要求最大CSI処理数、前記キャリアアグリゲーション・グループ内の前記キャリアが配置される要求帯域、前記キャリアアグリゲーション・グループ内のキャリアの要求最大帯域幅、および前記キャリアアグリゲーション・グループ内の前記キャリアの要求最大数のうちの少なくとも1つを含む、請求項26に記載のネットワーク装置。
【請求項２８】
前記第2の情報が、前記端末装置が報告することを要求されるベースバンド能力範囲を含み、前記ベースバンド能力範囲が、要求最大MIMO層数、前記キャリアでサポートされる要求最大MIMO層数、要求最大CSI処理数、前記キャリアでサポートされる要求最大CSI処理数、前記キャリアアグリゲーション・グループの要求最大帯域幅、前記キャリアアグリゲーション・グループ内のキャリアの要求最大帯域幅、および前記キャリアアグリゲーション・グループ内の前記キャリアの要求最大数のうちの少なくとも1つを含む、請求項26に記載のネットワーク装置。
【請求項２９】
前記ベースバンド能力が、少なくとも1つの総帯域幅のそれぞれに対応する、キャリアアグリゲーション・グループにおける前記端末装置のベースバンド能力、および前記総帯域幅に対応する、前記キャリアアグリゲーション・グループ内の各キャリアにおける前記端末装置のベースバンド能力を含み、前記総帯域幅が、少なくとも1つのキャリアを含むキャリアアグリゲーション・グループ内の全キャリアの帯域幅の合計である、請求項24から28のいずれか一項に記載のネットワーク装置。
【請求項３０】
前記ベースバンド能力についての情報が、少なくとも1つのキャリア情報のそれぞれに対する前記端末装置のベースバンド能力を含み、前記キャリア情報が、キャリアの数およびキャリアの帯域幅を含む、請求項24から28のいずれか一項に記載のネットワーク装置。
【請求項３１】
コンピュータプログラムを記憶するコンピュータ可読記憶媒体であって、前記プログラムがプロセッサによって実行されると、請求項1から8のいずれか一項に記載の通信方法が実施される、コンピュータ可読記憶媒体。
【請求項３２】
コンピュータプログラムを記憶するコンピュータ可読記憶媒体であって、前記プログラムがプロセッサによって実行されると、請求項9から15のいずれか一項に記載の通信方法が実施される、コンピュータ可読記憶媒体。
【請求項３３】
メモリと、プロセッサと、前記メモリに記憶され前記プロセッサで実行可能なプログラムとを備える通信装置であって、前記プログラムを実行すると、前記プロセッサが、請求項1から8のいずれか一項に記載の通信方法を実施する、通信装置。
【請求項３４】
メモリと、プロセッサと、前記メモリに記憶され前記プロセッサで実行可能なプログラムとを備える通信装置であって、前記プログラムを実行すると、前記プロセッサが、請求項9から15のいずれか一項に記載の通信方法を実施する、通信装置。
【発明の詳細な説明】
【技術分野】
【０００１】
本願は、2017年9月28日に中国特許庁に出願された「INFORMATION TRANSMISSION METHOD，TERMINAL DEVICE，AND NETWORK DEVICE」という名称の中国特許出願第201710898879．X号の優先権を主張し、当該出願は、参照することによりその全体が本明細書に組み入れられる。
【０００２】
本出願は通信分野に関し、より詳細には、通信分野における情報伝送方法、端末装置、およびネットワーク装置に関する。
【背景技術】
【０００３】
キャリアアグリゲーション（carrier aggregation、CA）とは、移動端末ユーザのより高い伝送レート要求を満たすために、複数の連続または非連続のコンポーネントキャリア（component carrier、CC）が、より広い帯域幅を取得するように集約されることを意味する。
【０００４】
従来技術では、端末装置は、ネットワーク装置の能力報告要求に基づいて、端末装置のキャリアアグリゲーション能力を報告し得る。キャリアアグリゲーション能力は、端末装置によってサポートされるキャリアアグリゲーション・グループのキャリアの数およびキャリアの帯域幅、キャリアアグリゲーション・グループ内の各キャリアで端末装置によってサポートされる、複数入力複数出力（multiple−input multiple−output、MIMO）層の数、およびチャネル状態情報（channel state information、CSI）アンテナ数などを含む。ネットワーク装置は、端末装置用に、端末装置によって報告されたキャリアアグリゲーション能力に基づいて、キャリアアグリゲーション・グループ内の各キャリアで端末装置が動作するときに使用されるMIMO層の数、およびCSIアンテナ数を構成する。
【０００５】
端末装置は、多数のキャリアアグリゲーション・グループをサポートする。したがって、既存の能力報告方法を使用することによって、シグナリングオーバーヘッドが比較的高くなる。
【発明の概要】
【０００６】
本出願は、シグナリングオーバーヘッドを最適化する、情報伝送方法、端末装置、およびネットワーク装置を提供する。
【課題を解決するための手段】
【０００７】
第1の態様によれば、本願は、情報伝送方法を提供する。本方法は、
端末装置によって、端末装置のキャリアアグリゲーション能力およびベースバンド能力を決定するステップであって、キャリアアグリゲーション能力は、端末装置によってサポートされるキャリアアグリゲーション・グループ内のキャリアの数、およびキャリアの帯域幅を含み、ベースバンド能力は、複数入力複数出力MIMO能力、およびチャネル状態情報CSI能力のうちの少なくとも1つを含み、MIMO能力は、端末装置によって処理され得るMIMO層の数を示すために使用され、CSI能力は、端末装置によって処理され得るCSI処理の数を示すために使用される、ステップと、
端末装置によって、キャリアアグリゲーション能力およびベースバンド能力をネットワーク装置に送信するステップと、
キャリアアグリゲーション能力およびベースバンド能力に基づいてネットワーク装置によって送信された構成情報を、端末装置によって受信するステップであって、構成情報は、端末装置がキャリアアグリゲーション・グループ内の各キャリアで動作するときに、端末装置によって使用される目標ベースバンド能力を構成するために使用される、ステップとを含む。
【０００８】
本願のこの実施形態の目標ベースバンド能力は、端末装置用にネットワーク装置によって構成される各キャリアのMIMO層の数、およびCSI処理数のうちの少なくとも1つであってよいことを理解されたい。
【０００９】
本願のこの実施形態で提供される情報伝送方法によれば、端末装置は、端末装置のベースバンド能力をキャリアアグリゲーション能力から切り離して、端末装置レベルの情報としてベースバンド能力をネットワーク装置に別に報告し、その結果、ネットワーク装置は、端末装置のキャリアアグリゲーション能力およびベースバンド能力に基づいて、端末装置の目標ベースバンド能力を決定することができる。
【００１０】
言い換えれば、端末装置は、キャリアアグリゲーション・グループ内の各キャリアのベースバンド能力をキャリアに追加する必要がなく、その結果、シグナリングオーバーヘッドを最適化することができる。
【００１１】
可能な実施において、本方法は、
端末装置によって、端末装置のアンテナ能力を決定するステップであって、アンテナ能力は、少なくとも1つの帯域のそれぞれにおいて端末装置によってサポートされるアンテナ数、および少なくとも1つの帯域の組み合わせのそれぞれにおいて端末装置によってサポートされる総アンテナ数のうちの少なくとも1つを示すために使用される、ステップをさらに含む。
【００１２】
端末装置によって、ネットワーク装置にキャリアアグリゲーション能力およびベースバンド能力を送信するステップは、
端末装置によって、ネットワーク装置にキャリアアグリゲーション能力、ベースバンド能力、およびアンテナ能力を送信するステップを含む。
【００１３】
キャリアアグリゲーション能力およびベースバンド能力に基づいてネットワーク装置によって送信された構成情報を、端末装置によって受信するステップは、
キャリアアグリゲーション能力、ベースバンド能力、およびアンテナ能力に基づいてネットワーク装置によって送信された構成情報を、端末装置によって受信するステップを含む。
【００１４】
キャリアで端末装置によってサポートされるMIMO能力は、端末装置のベースバンド能力に限定されるだけでなく、端末装置のアンテナ能力にも限定される。したがって、キャリアアグリゲーション能力およびベースバンド能力のみが報告されると、ネットワーク装置によって端末装置に送信された構成情報で示されるMIMO能力が、端末装置のアンテナ能力を超える場合がある。この場合、再度報告が実行されねばならないことになる。
【００１５】
本願のこの実施形態では、端末装置は、ネットワーク装置にキャリアアグリゲーション能力、ベースバンド能力、およびアンテナ能力を併せて報告し、その結果、ネットワーク装置は、キャリアアグリゲーション能力、ベースバンド能力、およびアンテナ能力に基づいて、端末装置の目標ベースバンド能力を決定でき、シグナリングオーバーヘッドが削減される。
【００１６】
可能な実施では、ベースバンド能力はMIMO能力を含み、本方法は、
キャリアアグリゲーション・グループ内の各キャリアで端末装置によってサポートされるMIMO能力が、ベースバンド能力によって示されるMIMO能力に到達できるかどうかを端末装置によって判定するステップをさらに含む。
【００１７】
端末装置によって、キャリアアグリゲーション能力およびベースバンド能力をネットワーク装置に送信するステップは、
キャリアアグリゲーション・グループ内のキャリアで端末装置によってサポートされるMIMO能力が、ベースバンド能力によって示されるMIMO能力に到達可能であると端末装置が判定したときに、キャリアアグリゲーション能力およびベースバンド能力をネットワーク装置に送信するステップであって、キャリアアグリゲーション能力は、キャリアアグリゲーション・グループ内の任意のキャリアで端末装置によってサポートされるMIMO能力を含んでいない、ステップ、または
キャリアアグリゲーション・グループ内の第1のキャリアで端末装置によってサポートされるMIMO能力が、ベースバンド能力によって示されるMIMO能力に到達できないと端末装置が判定したときに、キャリアアグリゲーション能力およびベースバンド能力をネットワーク装置に送信するステップであって、キャリアアグリゲーション能力は、第1のキャリアで端末装置によってサポートされるMIMO能力をさらに含んでいる、ステップを含む。
【００１８】
言い換えれば、端末装置によって報告されたキャリアアグリゲーション能力が、キャリアアグリゲーション・グループ内の任意のキャリアのMIMO能力を搬送しない場合は、キャリアアグリゲーション・グループ内のキャリアで端末装置によってサポートされるMIMO能力は、ベースバンド能力によって示されるMIMO能力を満たすことができ、ネットワーク装置は、報告されたベースバンド能力に基づいて、端末装置によって使用される目標ベースバンド能力を直接決定し得ることを示している。
【００１９】
端末装置によって報告されたキャリアアグリゲーション能力が、キャリアアグリゲーション・グループに含まれる第1のキャリアのMIMO能力を搬送する場合は、第1のキャリアの端末装置によってサポートされるMIMO能力が、ベースバンド能力によって示されるMIMO能力を満たすことができず、この場合はネットワーク装置が、ネットワーク装置の計算複雑性を低減するために、第1のキャリアでサポートされる、搬送されるMIMO能力を第1のキャリアの目標ベースバンド能力として直接決定することを示している。
【００２０】
可能な実施では、端末装置によって、端末装置のキャリアアグリゲーション能力およびベースバンド能力を決定するステップの前に、本方法は、
ネットワーク装置によって送信された要求メッセージを端末装置によって受信するステップであって、要求メッセージは第2の情報を搬送し、第2の情報は、報告されるべきベースバンド能力範囲を決定するために端末装置によって使用される、ステップをさらに含む。
【００２１】
端末装置によって、端末装置のキャリアアグリゲーション能力およびベースバンド能力を決定するステップは、
端末装置によって、第2の情報に基づいてベースバンド能力を決定するステップであって、ベースバンド能力は、第2の情報に基づいて端末装置によって決定されたベースバンド能力範囲を満たす、ステップを含む。
【００２２】
可能な実施において、第2の情報は、端末装置が報告することを要求されるキャリアアグリゲーション・グループ範囲を含み、キャリアアグリゲーション・グループ範囲は、要求最大MIMO層数、要求最大CSI処理数、キャリアアグリゲーション・グループ内のキャリアが配置される要求帯域、キャリアアグリゲーション・グループ内のキャリアの要求最大帯域幅、およびキャリアアグリゲーション・グループ内のキャリアの要求最大数のうちの少なくとも1つを含む。
【００２３】
端末装置によって、第2の情報に基づいてベースバンド能力を決定するステップは、
端末装置によって、キャリアアグリゲーション・グループ範囲に基づいてキャリアアグリゲーション能力を決定するステップであって、キャリアアグリゲーション能力はキャリアアグリゲーション・グループ範囲を満たす、ステップと、
キャリアアグリゲーション能力に基づいてベースバンド能力範囲を決定するステップと、
ベースバンド能力範囲に基づいてベースバンド能力を決定するステップであって、ベースバンド能力はベースバンド能力範囲を満たす、ステップとを含む。
【００２４】
可能な実施において、第2の情報は、端末装置が報告することを要求されるベースバンド能力範囲を含み、ベースバンド能力範囲は、要求最大MIMO層数、キャリアでサポートされる要求最大MIMO層数、要求最大CSI処理数、キャリアアグリゲーション・グループの要求最大帯域幅、キャリアでサポートされる要求最大CSI処理数、キャリアアグリゲーション・グループ内のキャリアの要求最大帯域幅、およびキャリアアグリゲーション・グループ内のキャリアの要求最大数のうちの少なくとも1つを含む。
【００２５】
端末装置が、キャリアアグリゲーション能力、ベースバンド能力、およびアンテナ能力をネットワーク装置に報告した後に、ネットワーク装置は、端末装置のキャリアアグリゲーション能力、ベースバンド能力、およびアンテナ能力に加えて、ネットワーク装置のリソース条件、例えば、ネットワーク装置によってサポートされるベースバンド能力および周波数領域リソースを考慮することをさらに必要とする。
【００２６】
ネットワーク装置は、ベースバンド能力範囲、キャリアアグリゲーション・グループ範囲、およびアンテナ能力範囲のうちの少なくとも1つを示すために使用される情報を要求メッセージに追加し、その結果、端末装置の報告範囲を削減でき、シグナリングオーバーヘッドを削減することができる。
【００２７】
可能な実施では、端末装置によって、ネットワーク装置にキャリアアグリゲーション能力およびベースバンド能力を送信するステップは、端末装置によって、ネットワーク装置にキャリアアグリゲーション能力、ベースバンド能力、および第2の情報を送信するステップを含む。
【００２８】
端末装置の能力情報（報告されるキャリアアグリゲーション能力およびベースバンド能力を含む）を取得した後に、ネットワーク装置は、能力情報を記憶して、能力情報を別のネットワーク装置に転送する。したがって、能力情報に第2の情報を追加することによって、別のネットワーク装置が、第2の情報に基づいてベースバンド能力が報告されたことを知ることができ、その結果、別のネットワーク装置は、端末装置の能力を再要求することが必要かどうかを判定する。
【００２９】
可能な実施において、ベースバンド能力は、少なくとも1つの総帯域幅のそれぞれに対応する、キャリアアグリゲーション・グループにおける端末装置のベースバンド能力、および総帯域幅に対応する、キャリアアグリゲーション・グループ内の各キャリアにおける端末装置のベースバンド能力を含み、総帯域幅は、少なくとも1つのキャリアを含む、キャリアアグリゲーション・グループ内の全キャリアの帯域幅の合計である。
【００３０】
可能な実施において、ベースバンド能力についての情報は、少なくとも1つのキャリア情報のそれぞれに対する端末装置のベースバンド能力を含み、キャリア情報は、キャリアの数およびキャリアの帯域幅を含む。
【００３１】
第2の態様によれば、本願は、情報伝送方法を提供する。本方法は、
端末装置によって送信された、端末装置のキャリアアグリゲーション能力およびベースバンド能力をネットワーク装置によって受信するステップであって、キャリアアグリゲーション能力は、端末装置によってサポートされるキャリアアグリゲーション・グループ内のキャリアの数、およびキャリアの帯域幅を含み、ベースバンド能力は、複数入力複数出力MIMO能力、およびチャネル状態情報CSI能力のうちの少なくとも1つを含み、MIMO能力は、端末装置によって処理され得るMIMO層の数を示すために使用され、CSI能力は、端末装置によって処理され得るCSI処理の数を示すために使用される、ステップと、
ネットワーク装置によって、キャリアアグリゲーション能力およびベースバンド能力に基づいて、端末装置の構成情報を決定するステップであって、構成情報は、端末装置がキャリアアグリゲーション・グループ内の各キャリアで動作するときに、端末装置によって使用される目標ベースバンド能力を構成するために使用される、ステップと、
ネットワーク装置によって、端末装置に構成情報を送信するステップとを含む。
【００３２】
本願のこの実施形態の目標ベースバンド能力は、端末装置用にネットワーク装置によって構成される各キャリアのMIMO層の数、およびCSI処理数のうちの少なくとも1つであってよいことを理解されたい。
【００３３】
可能な実施において、本方法は、
ネットワーク装置によって、端末装置によって送信されたアンテナ能力を受信するステップであって、アンテナ能力は、少なくとも1つの帯域のそれぞれにおいて端末装置によってサポートされるアンテナ数、および少なくとも1つの帯域の組み合わせのそれぞれにおいて端末装置によってサポートされる総アンテナ数のうちの少なくとも1つを示すために使用される、ステップをさらに含む。
【００３４】
ネットワーク装置によって、キャリアアグリゲーション能力およびベースバンド能力に基づいて、端末装置の構成情報を決定するステップは、
ネットワーク装置によって、キャリアアグリゲーション能力、ベースバンド能力、およびアンテナ能力に基づいて、端末装置の構成情報を決定するステップを含む。
【００３５】
可能な実施では、端末装置によって送信された、端末装置のキャリアアグリゲーション能力およびベースバンド能力をネットワーク装置によって受信するステップの前に、本方法は、
ネットワーク装置によって、端末装置に要求メッセージを送信するステップであって、要求メッセージは第2の情報を搬送し、第2の情報は、報告されるべきベースバンド能力範囲を決定するために端末装置によって使用される、ステップをさらに含む。
【００３６】
ネットワーク装置によって、端末装置によって送信された、端末装置のキャリアアグリゲーション能力およびベースバンド能力を受信するステップは、
ネットワーク装置によって、第2の情報に基づいて端末装置によって送信された、端末装置のキャリアアグリゲーション能力およびベースバンド能力を受信するステップを含む。
【００３７】
可能な実施において、第2の情報は、端末装置が報告することを要求されるキャリアアグリゲーション・グループ範囲を含み、キャリアアグリゲーション・グループ範囲は、要求最大MIMO層数、要求最大CSI処理数、キャリアアグリゲーション・グループ内のキャリアが配置される要求帯域、キャリアアグリゲーション・グループ内のキャリアの要求最大帯域幅、およびキャリアアグリゲーション・グループ内のキャリアの要求最大数のうちの少なくとも1つを含む。
【００３８】
可能な実施において、第2の情報は、端末装置が報告することを要求されるベースバンド能力範囲を含み、ベースバンド能力範囲は、要求最大MIMO層数、キャリアでサポートされる要求最大MIMO層数、要求最大CSI処理数、キャリアでサポートされる要求最大CSI処理数、キャリアアグリゲーション・グループの要求最大帯域幅、キャリアアグリゲーション・グループ内のキャリアの要求最大帯域幅、およびキャリアアグリゲーション・グループ内のキャリアの要求最大数のうちの少なくとも1つを含む。
【００３９】
可能な実施において、ベースバンド能力は、少なくとも1つの総帯域幅のそれぞれに対応する、キャリアアグリゲーション・グループにおける端末装置のベースバンド能力、および総帯域幅に対応する、キャリアアグリゲーション・グループ内の各キャリアにおける端末装置のベースバンド能力を含み、総帯域幅は、少なくとも1つのキャリアを含む、キャリアアグリゲーション・グループ内の全キャリアの帯域幅の合計である。
【００４０】
可能な実施において、ベースバンド能力についての情報は、少なくとも1つのキャリア情報のそれぞれに対する端末装置のベースバンド能力を含み、キャリア情報は、キャリアの数およびキャリアの帯域幅を含む。
【００４１】
第3の態様によれば、本願は、第1の態様、または第1の態様の可能な実施の、いずれか1つによる方法を実行するように構成された、端末装置を提供する。
【００４２】
第4の態様によれば、本願は、第2の態様、または第2の態様の可能な実施の、いずれか1つによる方法を実行するように構成された、ネットワーク装置を提供する。
【００４３】
第5の態様によれば、本願は端末装置を提供する。端末装置は、メモリ、プロセッサ、送受信機、およびメモリに記憶されプロセッサで実行できるコンピュータプログラムを含む。コンピュータプログラムを実行すると、プロセッサは、第1の態様、または第1の態様の可能な実施のいずれか1つによる方法を実行する。
【００４４】
第6の態様によれば、本願はネットワーク装置を提供する。ネットワーク装置は、メモリ、プロセッサ、送受信機、およびメモリに記憶されプロセッサで実行できるコンピュータプログラムを含む。コンピュータプログラムを実行すると、プロセッサは、第2の態様、または第2の態様の可能な実施のいずれか1つによる方法を実行する。
【００４５】
第7の態様によれば、本願は、コンピュータプログラムを記憶するように構成されたコンピュータ可読媒体を提供する。コンピュータプログラムは、第1の態様、または第1の態様の可能な実施のいずれか1つによる方法を実行するために使用される命令を含む。
【００４６】
第8の態様によれば、本願は、コンピュータプログラムを記憶するように構成されたコンピュータ可読媒体を提供する。コンピュータプログラムは、第2の態様、または第2の態様の可能な実施のいずれか1つによる方法を実行するのに使用される命令を含む。
【００４７】
第9の態様によれば、本願は、命令を含むコンピュータプログラム製品を提供する。コンピュータ上でコンピュータプログラム製品が実行されると、コンピュータは、第1の態様、または第1の態様の可能な実施のいずれか1つによる方法を実行することが可能になる。
【００４８】
第10の態様によれば、本願は、命令を含むコンピュータプログラム製品を提供する。コンピュータ上でコンピュータプログラム製品が実行されると、コンピュータは、第2の態様、または第2の態様の可能な実施のいずれか1つによる方法を実行することが可能になる。
【００４９】
第11の態様によれば、本願は、入力インターフェース、出力インターフェース、少なくとも1つのプロセッサ、およびメモリを含むチップを提供する。入力インターフェース、出力インターフェース、プロセッサ、およびメモリは、内部通信経路を使用して互いに通信する。プロセッサは、メモリ内のコードを実行するように構成される。コードが実行されると、プロセッサは、第1の態様、または第1の態様の可能な実施のいずれか1つによる方法を実行するように構成される。
【００５０】
第12の態様によれば、本願は、入力インターフェース、出力インターフェース、少なくとも1つのプロセッサ、およびメモリを含むチップを提供する。入力インターフェース、出力インターフェース、プロセッサ、およびメモリは、内部通信経路を使用して互いに通信する。プロセッサは、メモリ内のコードを実行するように構成される。コードが実行されると、プロセッサは、第2の態様、または第2の態様の可能な実施のいずれか1つによる方法を実行するように構成される。
【図面の簡単な説明】
【００５１】
【図１】本願における実施形態による通信システムの概略的な構造図である。
【図２】本願における実施形態による、情報伝送方法の概略的なフローチャートである。
【図３】帯域内連続キャリアアグリゲーションの概略図である。
【図４】帯域内非連続キャリアアグリゲーションの概略図である。
【図５】帯域間非連続キャリアアグリゲーションの概略図である。
【図６】本願における実施形態による、ベースバンド能力の概略図である。
【図７】本願における実施形態による、ベースバンド能力の別の概略図である。
【図８】本願における実施形態による、アンテナ能力の概略図である。
【図９】本願における実施形態による、別の情報伝送方法の概略的なフローチャートである。
【図１０】本願における実施形態による、別のアンテナ能力の概略図である。
【図１１】本願における実施形態による、端末装置の概略的なブロック図である。
【図１２】本願における実施形態による、ネットワーク装置の概略的なブロック図である。
【図１３】本願における実施形態による、別の端末装置の概略的なブロック図である。
【図１４】本願における実施形態による、別のネットワーク装置の概略的なブロック図である。
【図１５】本願における実施形態による、通信装置の概略的なブロック図である。
【図１６】本願における実施形態による、通信装置の別の概略的なブロック図である。
【図１７】本願における実施形態による、通信装置のさらに別の概略的なブロック図である。
【発明を実施するための形態】
【００５２】
以下、添付の図面を参照しながら本願の技術的解決策について説明する。
【００５３】
本願の実施形態の技術的解決策は、グローバル移動通信（global system of mobile communication、GSM）システム、符号分割多重アクセス（code division multiple access、CDMA）システム、広帯域符号分割多重アクセス（wideband code division multiple access、WCDMA（登録商標））システム、汎用パケット無線サービス（general packet radio service、GPRS）、LTEシステム、LTE周波数分割双方向（frequency division duplex、FDD）システム、LTE時分割複信（time division duplex、TDD）、ユニバーサル移動体通信システム（universal mobile telecommunications system、UMTS）、ワールドワイド・インターオペラビリティ・フォー・マイクロウェーブ・アクセス（worldwide interoperability for microwave access、WiMAX）通信システム、無線ローカルエリアネットワーク（wireless local area network、WLAN）、次世代の第5世代（5th generation、5G）システム、または新無線技術（new radio、NR）などのさまざまな通信システムに適用され得ることを理解されたい。
【００５４】
図1は、本願における実施形態による、通信システム100の概略的な構造図である。図1に示すように、通信システム100は、少なくとも1つのネットワーク装置（ネットワーク装置110が図1に示されている）と、少なくとも1つの端末装置（端末装置120が図1に示されている）とを備えてもよい。少なくとも1つのネットワーク装置と少なくとも1つの端末装置との間で、無線通信が行われてもよい。
【００５５】
図1は、ネットワーク装置が1つで端末装置が1つの場合の例を示す。任意で、通信システム100は代替的に複数のネットワーク装置を備えてもよく、各ネットワーク装置のカバレッジ内に別の数の端末装置が含まれてもよい。これは、本願におけるこの実施形態において限定されない。任意で、通信システム100は、ネットワークコントローラまたは移動性管理エンティティなどの別のネットワークエンティティをさらに備えてもよい。本願のこの実施形態はこれに限定されない。
【００５６】
任意で、ネットワーク装置は、特定の地理的領域に通信カバレッジを提供でき、カバレッジエリア内のUEと通信することができる。ネットワーク装置は、GSMシステムまたはCDMAシステムにおける基地局（base transceiver station、BTS）であってもよく、あるいはWCDMA（登録商標）システムにおけるNodeB（nodeB、NB）、ロング・ターム・エボリューション（long term evolution、LTE）システムにおける進化型NodeB（evolved node B、eNBまたはeNodeB）、あるいはクラウド無線アクセスネットワーク（cloud radio access network、CRAN）における無線コントローラであってもよい。ネットワーク装置は代替的に、コアネットワーク、中継局、アクセスポイント、車載機器、着用可能な装置、次世代の5GまたはNRネットワークにおけるネットワーク側装置、次世代の進化型地上波公共移動通信ネットワーク（public land mobile network、PLMN）におけるネットワーク装置などであってもよい。
【００５７】
任意で、端末装置は移動性または固定であってもよい。端末装置は、アクセス端末、ユーザ端末（user equipment、UE）、加入者ユニット、加入者局、移動局、モバイルコンソール、遠隔局、遠隔端末、モバイル機器、ユーザ端末、端末、無線通信装置、ユーザエージェント、ユーザ機器などであってもよい。アクセス端末は、携帯電話、コードレス電話機、セッション開始プロトコル（session initiation protocol、SIP）電話、無線ローカルループ（wireless local loop、WLL）局、携帯情報端末（personal digital assistant、PDA）、無線通信機能を有する携帯用機器、コンピュータ機器、無線モデムに接続された別の処理装置、車載機器、装着可能な装置、次世代の5GまたはNRネットワークの端末装置、次世代の進化型PLMNの端末装置などであってもよい。
【００５８】
図2は、本願における実施形態による、情報伝送方法200の概略的なフローチャートである。方法200は、図1に示す通信システムに適用されてもよい。これは、本願の実施形態において限定されない。
【００５９】
S210：端末装置は、端末装置のキャリアアグリゲーション能力およびベースバンド能力を決定し、キャリアアグリゲーション能力は、端末装置によってサポートされるキャリアアグリゲーション・グループ内のキャリアの数、およびキャリアの帯域幅を含み、ベースバンド能力は、複数入力複数出力MIMO能力およびチャネル状態情報CSI能力のうちの少なくとも1つを含み、MIMO能力は、端末装置によって処理できるMIMO層の数を示すために使用され、CSI能力は、端末装置によって処理できるCSI処理の数を示すために使用される。
【００６０】
S220：端末装置は、ネットワーク装置にキャリアアグリゲーション能力およびベースバンド能力を送信し、これに応じてネットワーク装置は、端末装置によって送信されたキャリアアグリゲーション能力およびベースバンド能力を受信する。
【００６１】
S230：ネットワーク装置は、キャリアアグリゲーション能力およびベースバンド能力に基づいて、端末装置の構成情報を決定し、構成情報は、キャリアアグリゲーション・グループ内の各キャリアで端末装置が動作するときに、端末装置によって使用される目標ベースバンド能力を構成するために使用される。
【００６２】
S240：ネットワーク装置は、端末装置に構成情報を送信し、これに応じて端末装置は、ネットワーク装置によって送信された構成情報を受信する。
【００６３】
本願のこの実施形態のキャリアアグリゲーション・グループは、キャリアアグリゲーション帯域の組み合わせと呼ばれてもよいことを理解されたい。これは、本願の実施形態において限定されない。
【００６４】
本願のこの実施形態のキャリアアグリゲーション帯域の組み合わせは少なくとも1つの帯域を含んでもよく、各帯域は1つ以上のキャリアを含み得ることをさらに理解されたい。
【００６５】
任意で、キャリアアグリゲーションは、アグリゲーションに関与しているキャリア同士の間の周波数の隣接関係に基づいて、連続キャリアアグリゲーションと非連続キャリアアグリゲーションとに分類されてもよい。非連続キャリアアグリゲーションは、帯域（band）内非連続キャリアアグリゲーションと、帯域間非連続キャリアアグリゲーションとにさらに分類される。
【００６６】
任意で、キャリアアグリゲーションは、端末装置のキャリアアグリゲーション能力に基づいて、帯域間（inter−band）アグリゲーションと、帯域内（intra−band）アグリゲーションとに分類されてもよい。inter−bandアグリゲーションは非連続キャリアアグリゲーションであり、intra−bandアグリゲーションは連続キャリアアグリゲーション、または非連続キャリアアグリゲーションであってもよい。
【００６７】
例えば、図3は、帯域内連続キャリアアグリゲーションの概略図であり、図3に示すように、Band AのCC 1とCC 2とは連続しており、図4は帯域内非連続キャリアアグリゲーションの概略図であり、図4ではBand AのCC 1とCC 2とは非連続であり、図5は帯域間非連続キャリアアグリゲーションの概略図であり、図5に示すように、Band AはCC 1を含み、Band BはCC 2を含む。
【００６８】
本願のこの実施形態のベースバンド能力は、複数入力複数出力（multiple−input multiple−output、MIMO）能力、およびチャネル状態情報（channel state information、CSI）能力を含み得ることをさらに理解されたい。MIMO能力は端末装置が処理できるMIMO層の数を示し、CSI能力は端末装置が処理できるCSI処理の数を示す。
【００６９】
本願のこの実施形態の目標ベースバンド能力は、端末装置用にネットワーク装置によって構成される各キャリアのMIMO層の数、およびCSI処理数のうちの少なくとも1つであってよいことをさらに理解されたい。
【００７０】
本願のこの実施形態における能力とは、到達され得る最大値と理解されてもよいことをさらに理解されたい。例えば、端末装置のMIMO能力は、処理され得るMIMO層の最大数と理解されてもよい。
【００７１】
端末装置のキャリアアグリゲーション能力は、端末装置が1つ以上のキャリアアグリゲーション・グループをサポートすることを示すために使用されることをさらに理解されたい。かつ1つ以上のキャリアアグリゲーション・グループはキャリアアグリゲーション・グループを含む。これは、本願の実施形態において限定されない。
【００７２】
任意で、S210において、キャリアアグリゲーション能力は、端末装置によってサポートされるキャリアアグリゲーション・グループ内のキャリアの数、およびキャリアの帯域幅を含んでもよい。
【００７３】
例えば、端末装置のキャリアアグリゲーション能力は、端末装置が、4つのキャリアを含むキャリアアグリゲーション・グループをサポートすることを示すと仮定する。各キャリアの帯域幅は20 Mである。これにより、キャリアアグリゲーション能力に基づいて、端末装置によってサポートされるキャリアアグリゲーション・グループが以下のものを含み得ることが得られる。
（1）キャリアアグリゲーション・グループ1：Band 1［2＊20M］＋Band 2［2＊20M］であり、4つのキャリアを含み、各キャリアの帯域幅が20 Mであり、
Band 1［2＊20M］は、帯域1が、帯域幅が20Mの2つのキャリアを含むことを示し、Band 2［2＊20 M］は、帯域2が、帯域幅が20 Mの2つのキャリアを含むことを示す。
（2）キャリアアグリゲーション・グループ2：Band 1［1＊20M］＋Band 2［2＊20M］であり、3つのキャリアを含み、各キャリアの帯域幅は20 Mである。
（3）キャリアアグリゲーション・グループ3：Band 1［1＊20M］＋Band 2［1＊20M］であり、2つのキャリアを含み、各キャリアの帯域幅は20 Mである。
（4）キャリアアグリゲーション・グループ4：Band 1［2＊20M］＋Band 2［2＊10M］であり、4つのキャリアを含み、2つのキャリアの帯域幅が20 Mで、かつ2つのキャリアの帯域幅は10 Mである。
（5）キャリアアグリゲーション・グループ5：Band 1［1＊10M］＋Band 2［1＊10M］であり、2つのキャリアを含み、各キャリアの帯域幅は20 Mである。
【００７４】
5つのキャリアアグリゲーション・グループはそれぞれ、キャリアアグリゲーション能力のケースで、端末装置によって使用され得るキャリアの組み合わせであることを理解されたい。
【００７５】
任意で、端末装置は、キャリアアグリゲーション能力によっては、他のキャリアの組み合わせをさらに含んでもよい。前述では、キャリアアグリゲーション・グループ（1）から（5）を単に説明するための例として使用している。端末装置は、キャリアアグリゲーション能力によっては、他のキャリアアグリゲーション・グループをさらにサポートしてもよい。これは、本願の実施形態において限定されない。
【００７６】
任意で、S210において、ベースバンド能力は、端末装置によってサポートされるMIMO能力およびCSI能力のうちの少なくとも1つを示すために使用される。
【００７７】
任意選択の実施形態では、ベースバンド能力は、少なくとも1つの総帯域幅のそれぞれに対応する、キャリアアグリゲーション・グループにおける端末装置のベースバンド能力、および総帯域幅に対応する、キャリアアグリゲーション・グループ内の各キャリアにおける端末装置のベースバンド能力を含んでもよく、総帯域幅は、少なくとも1つのキャリアを含むキャリアアグリゲーション・グループ内の全キャリアの帯域幅の合計である。
【００７８】
例えば、図6は、本願における実施形態による、報告されるベースバンド能力の概略図である。図6に示すように、端末装置によってサポートされるキャリアアグリゲーション・グループが、Band 1［2＊20M］＋Band 2［2＊20M］＋Band 3［2＊40M］を含むと仮定すると、キャリアアグリゲーション・グループの総帯域幅は2＊20＋2＊20＋2＊40＝160 Mとなる。図6から、キャリアアグリゲーション・グループ内の各キャリアにおける端末装置のMIMO能力は8層のMIMOであり、キャリアアグリゲーション・グループ内のキャリアにおける端末装置のCSI能力は4つの処理であり、キャリアアグリゲーション・グループにおける端末装置のMIMO能力は、20層のMIMOまたは24層のMIMOであり、キャリアアグリゲーション・グループにおける端末装置のCSI能力は、12の処理または10の処理であることがわかるであろう。
【００７９】
別の任意選択の実施形態では、ベースバンド能力についての情報は、少なくとも1つのキャリア情報のそれぞれに対する端末装置のベースバンド能力を含み、キャリア情報は、キャリアの数およびキャリアの帯域幅を含む。キャリア情報は、帯域幅クラス（bandwidth class）と呼ばれてもよい。ベースバンド能力は、キャリア情報内の各キャリアのベースバンド能力、またはキャリア情報における総ベースバンド能力であってもよい。具体的には、例えば、キャリア情報とは、2つのキャリアがあり、各キャリアが20 Mで、キャリア情報に対応するベースバンド能力が、各キャリアの最大MIMO層数および／または最大CSI処理数、あるいは全キャリアの最大MIMO層数および／または最大CSI処理数を含み得ることである。
【００８０】
また、ベースバンド能力は、異なるキャリア情報に対応するベースバンド能力の組み合わせをさらに含んでもよく、例えば、2つのキャリアがあって各キャリアが20 Mであることを示す、キャリア情報に関するベースバンド能力と、3つのキャリアがあって各キャリアが40 Mであることを示す、キャリア情報に関するベースバンド能力との組み合わせである。
【００８１】
図6は、端末装置のベースバンド能力の単なる例を示していることを理解されたい。端末装置のベースバンド能力は、別の総帯域幅に対応するベースバンド能力をさらに含んでもよい。これは、本願の実施形態において限定されない。
【００８２】
図7は、本願における実施形態による、報告されるベースバンド能力の別の概略図である。図7に示すように、端末装置によってサポートされるキャリアアグリゲーション・グループは、Band 1［1＊10 M］＋Band 2［1＊10M］を含むと仮定する。図7から、キャリアアグリゲーション・グループ内の各キャリアにおける端末装置のMIMO能力は4層のMIMOであり、キャリアアグリゲーション・グループ内の各キャリアにおける端末装置のCSI能力は10処理であることがわかるであろう。
【００８３】
図7は、端末装置のベースバンド能力の単なる例を示していることを理解されたい。端末装置のベースバンド能力は、他のキャリア情報に対応するベースバンド能力をさらに含んでもよい。これは、本願の実施形態において限定されない。
【００８４】
図6および図7は単に、ベースバンド能力を報告する2つの可能な実施であることを理解されたい。端末装置は、他のベースバンド能力報告方法を代替的に使用してもよい。これは、本願の実施形態において限定されない。
【００８５】
任意で、S230における、ネットワーク装置が、キャリアアグリゲーション能力およびベースバンド能力に基づいて端末装置の構成情報を決定するステップは、ネットワーク装置が、ネットワーク装置の周波数領域リソース条件、および端末装置のキャリアアグリゲーション能力に基づいて端末装置によって使用され得るキャリアアグリゲーション・グループを決定し、次に、キャリアアグリゲーション・グループ、および端末装置のベースバンド能力に基づいて、端末装置の構成情報を決定することであってもよい。
【００８６】
例えば、端末装置によって報告されるキャリアアグリゲーション能力は、キャリアアグリゲーション・グループ（1）から（5）を含む。ネットワーク装置は、ネットワーク装置の周波数リソースに基づいて、端末装置がキャリアアグリゲーション・グループ（3）、キャリアアグリゲーション・グループ（4）、およびキャリアアグリゲーション・グループ（5）を使用できると判定し、各キャリアアグリゲーション・グループの総帯域幅、および図6に示すベースバンド能力に基づいて、端末装置の構成情報を決定する、あるいは各キャリアアグリゲーション・グループにおけるキャリアの数およびキャリアの帯域幅、および図7に示すベースバンド能力に基づいて、端末装置の構成情報を決定する。
【００８７】
例えば、ネットワーク装置は、端末装置によってサポートされるキャリアアグリゲーション・グループが、Band 1［2＊20M］＋Band 2［2＊20M］＋Band 3［2＊40M］を含むことに基づいて、キャリアアグリゲーション・グループの総帯域幅が160 Mであり、図6に示すベースバンド能力によれば、キャリアアグリゲーション・グループ内の各キャリアで8層のMIMOおよび4つのCSI処理がサポートされること、ならびにキャリアアグリゲーション・グループで20層のMIMOまたは24層のMIMO、および12のCSI処理または10のCSI処理がサポートされることを知り得る。この場合、ネットワーク装置は、Band 1に対して最大8層のMIMO、および4つのCSI処理、Band 2に対して最大8層のMIMO、および4つのCSI処理、Band 3に対して最大8層のMIMO、および4つのCSI処理を構成し、つまり、キャリアアグリゲーション・グループに対して合計で8＋8＋8＝24層のMIMO、および4＋4＋4＝12のCSI処理を構成し得る。
【００８８】
ベースバンド能力は、キャリアアグリゲーション・グループで24層のMIMOがサポートされているときは、10のCSI処理がサポートされることを示す。したがって、Band 1、Band 2、またはBand 3から選択された1つの帯域のみのために2つのCSI処理が構成され、残りの帯域に対して4つの処理が構成される。あるいは、ベースバンド能力は、キャリアアグリゲーション・グループで12のCSI処理がサポートされているときは、20層のMIMOがサポートされることを示す。したがって、Band 1、Band 2、およびBand 3から1つの帯域が選択され、帯域に対して構成されるMIMOが4層削減される。あるいは2つの帯域が選択され、帯域に対して構成されるMIMOは、個別にそれぞれ2層削減される。
【００８９】
本願のこの実施形態で提供される情報伝送方法によれば、端末装置は、ベースバンド能力をキャリアアグリゲーション能力から切り離す。具体的に言うと、ベースバンド能力はキャリア能力とは無関係である。したがって、端末装置は、ネットワーク装置にキャリアアグリゲーション能力とともにベースバンド能力を報告することはないが、端末装置レベルの情報としてベースバンド能力をネットワーク装置に別に報告し、その結果、ネットワーク装置は、キャリアアグリゲーション能力およびベースバンド能力に基づいて端末装置の構成情報を決定し、キャリアアグリゲーション能力報告プロセスにおけるシグナリングオーバーヘッドを削減することができる。
【００９０】
任意で、ベースバンド能力がMIMO能力を含むときは、端末装置は、キャリアアグリゲーション・グループ内の各キャリアで端末装置によってサポートされるMIMO能力が、ベースバンド能力によって示されるMIMO能力に到達できるかどうかを判定してもよい。キャリアアグリゲーション・グループ内のキャリアで端末装置によってサポートされるMIMO能力が、ベースバンド能力によって示されるMIMO能力に到達できると端末装置が判定すると、端末装置は、ネットワーク装置にキャリアアグリゲーション能力およびベースバンド能力を送信し、キャリアアグリゲーション能力は、キャリアアグリゲーション・グループ内の任意のキャリアで端末装置によってサポートされるMIMO能力を含んでいない。
【００９１】
これに応じて、キャリアアグリゲーション・グループ内の第1のキャリアで端末装置によってサポートされるMIMO能力が、ベースバンド能力によって示されるMIMO能力に到達できないと端末装置が判定すると、端末装置は、ネットワーク装置にキャリアアグリゲーション能力およびベースバンド能力を送信し、ここでキャリアアグリゲーション能力は、第1のキャリアで端末装置によってサポートされるMIMO能力をさらに含む。
【００９２】
例えば、端末装置はBand 1［1＊160 M］で動作し、Band AはCC 1を含むと仮定される。図6に示すベースバンド能力は、端末装置が、CC 1において8層のMIMOをサポートすることを示す。しかしながら帯域では、端末装置は2層のMIMOしか処理できない。つまり、CC 1で端末装置によってサポートされるMIMO能力は、ベースバンド能力によって示されるMIMO能力に到達できない。この場合、端末装置は、キャリアアグリゲーション能力内のCC 1で端末装置によってサポートされるMIMO能力を示してもよい。
【００９３】
言い換えれば、端末装置によって報告されたキャリアアグリゲーション能力が、キャリアアグリゲーション・グループ内の任意のキャリアのMIMO能力を搬送しない場合は、キャリアアグリゲーション・グループ内のキャリアで端末装置によってサポートされるMIMO能力は、ベースバンド能力によって示されるMIMO能力を満たせることを示し、あるいは、端末装置によって報告されたキャリアアグリゲーション能力が、キャリアアグリゲーション・グループに含まれる第1のキャリアのMIMO能力を搬送する場合は、第1のキャリアで端末装置によってサポートされるMIMO能力が、ベースバンド能力によって示されるMIMO能力を満たせないことを示し、この場合、ネットワーク装置は、第1のキャリアでサポートされる、搬送されるMIMO能力に基づいて、構成情報を決定する必要がある。
【００９４】
任意で、第1のキャリアでサポートされるMIMO能力が、ベースバンド能力によって示されるMIMO能力に到達できないと端末装置が判定すると、端末装置は、キャリアアグリゲーション・グループ内の全キャリアのMIMO能力を示す、またはキャリアアグリゲーション能力内の第1のキャリアのMIMO能力のみを示してもよい。これは、本願の実施形態において限定されない。
【００９５】
端末装置のCSI能力は、ベースバンドによって処理され得るCSI能力とのみ関連があるので、ネットワーク装置は、キャリアアグリゲーション能力およびベースバンド能力のみに基づいて、端末装置の構成情報を決定できることを理解されたい。
【００９６】
しかしながら、端末装置のMIMO能力は、ベースバンドによって処理できるMIMO能力に関連するだけでなく、端末装置によって処理できるアンテナ能力にも関連する。つまり、端末装置によってサポートされるMIMO能力は、ベースバンド能力およびアンテナ能力によって制限される。
【００９７】
例えば、端末装置がBand 1［1＊160 M］で動作するときは、図6に示すベースバンド能力は、端末装置が8層のMIMOをサポートすることを示すと仮定される。しかしながら、Band 1が配置されている帯域において、端末装置が処理できるアンテナ能力はアンテナ2個のみである。したがって、端末装置がBand 1で動作するときに、端末装置によってサポートされるMIMO能力は2層である。
【００９８】
したがって、キャリアアグリゲーション能力および帯域幅能力を報告するときに、端末装置は、端末装置のアンテナ能力をさらに報告してもよい。
【００９９】
任意で、本方法は、端末装置によって、端末装置のアンテナ能力を決定するステップをさらに含み、アンテナ能力は、少なくとも1つの帯域のそれぞれにおいて端末装置によってサポートされるアンテナ数、および少なくとも1つの帯域の組み合わせのそれぞれにおいて端末装置によってサポートされる総アンテナ数のうちの少なくとも1つを示すために使用される。S220における、端末装置がネットワーク装置にキャリアアグリゲーション能力およびベースバンド能力を送信するステップは、端末装置が、ネットワーク装置にキャリアアグリゲーション能力、ベースバンド能力、およびアンテナ能力を送信することであってもよい。これに応じて、ネットワーク装置は、ネットワーク装置によって送信されたキャリアアグリゲーション能力、ベースバンド能力、およびアンテナ能力を受信する。
【０１００】
図8は、本願における実施形態による、報告されるアンテナ能力の概略図である。図8に示すように、Band 1＜4＞は、帯域1が4個のアンテナをサポートすることを示し、Band 2＜4＞は、帯域2が4個のアンテナをサポートすることを示し、Band 42＜8＞は、帯域42が8個のアンテナをサポートすることを示し、Band 43＜8＞は、帯域43が8個のアンテナをサポートすることを示す。帯域の組み合わせ1は、Band 1、Band 2、Band 3、Band 42、およびBand 43を含み、帯域には相関関係があることを理解されたい。したがって、帯域の組み合わせ1には、さらにアンテナ能力の上限がある。具体的に言うと、帯域の組み合わせ1では、端末装置は合計10個のアンテナをサポートする。
【０１０１】
任意で、S230における、ネットワーク装置がキャリアアグリゲーション能力およびベースバンド能力に基づいて構成情報を決定するステップは、ネットワーク装置がキャリアアグリゲーション能力、ベースバンド能力、およびアンテナ能力に基づいて構成情報を決定することであってもよい。
【０１０２】
例えば、端末装置は、Band 1に4個のアンテナを構成すると仮定される。Band 1がキャリアを1つのみ含む場合は、端末装置はキャリアで4層のMIMOをサポートする。Band 1が2つの連続キャリアを含む場合は、端末装置はBand 1で2＊4＝8層のMIMOをサポートする。Band 1が2つの非連続キャリアを含む場合は、端末装置はBand 1で4個のアンテナを共有する。具体的に言うと、端末装置は、Band 1内の1つのキャリアで4層のMIMOをサポートする、または各キャリアで2層のMIMOをサポートする。
【０１０３】
任意で、キャリアアグリゲーション能力は、キャリアアグリゲーション・グループ内のキャリアが連続しているかどうかを示す情報をさらに含んでもよい。非連続的に集約されたキャリアについては、非連続キャリアを示すために、端末装置は同じ帯域を繰り返し報告する必要がある。
【０１０４】
例えば、Band 1［1＊20M］＋Band 1［1＊20M］は、帯域1に20 Mの2つの非連続キャリアを示す。Band 1［2＊20M］は、帯域1に2つの連続キャリアを示す。
【０１０５】
例えば、端末装置によってサポートされるキャリアアグリゲーション・グループは、Band 1［2＊20M］＋Band 2［2＊20M］を含み、各帯域の2つのキャリアは連続していると仮定される。Band 1＜4＞およびBand 2＜4＞については、図8で知ることができる。具体的に言うと、Band 1は2＊4＝8層のMIMOをサポートし、Band 2は2＊4＝8層のMIMOをサポートする。Band 1、Band 2、およびBand 3内の各キャリアに対して4層のMIMOが構成されてもよく、Band 1、Band 2、およびBand 3のそれぞれにおける全キャリアに対して合計8層のMIMOが構成されることが図6からわかる。
【０１０６】
別の例として、端末装置によってサポートされるキャリアアグリゲーション・グループは、Band 1［2＊20M］＋Band 2［2＊20M］＋Band 3［4＊40 M］を含み、各帯域の2つのキャリアは連続していると仮定される。図8から、Band 1＜4＞、Band 2＜4＞、およびBand 3＜4＞はすべて帯域の組み合わせ1に属し、帯域の組み合わせ1でサポートされる総アンテナ能力は10アンテナであることがわかる。したがって、帯域のうちの1のために構成されるアンテナは2個減らされてもよく、例えば、Band 1＜2＞、Band 2＜4＞、およびBand 3＜4＞となる。したがって、Band 1は2＊2＝4層のMIMOをサポートし、Band 2は2＊4＝8層のMIMOをサポートし、Band 4は2＊4＝8層のMIMOをサポートする。Band 1の各キャリアに対して2層のMIMOが構成されてもよく、2つのキャリアに対して合計4層のMIMOが構成され、かつBand 2またはband 3の各キャリアに対して4層のMIMOが構成されてもよく、各帯域に対して合計8層のMIMOが構成されることが、図6からわかる。
【０１０７】
端末装置が、処理のためにキャリアアグリゲーション能力、ベースバンド能力、およびアンテナ能力をネットワーク装置に報告した後に、ネットワーク装置は、端末装置のキャリアアグリゲーション能力、ベースバンド能力、およびアンテナ能力に加えて、ネットワーク装置のリソース条件、例えば、ネットワーク装置によってサポートされるベースバンド能力および周波数領域リソースを考慮することがさらに必要なことを理解されたい。
【０１０８】
任意で、S210の前に本方法は、ネットワーク装置によって端末装置に要求メッセージを送信するステップをさらに含み、要求メッセージは第2の情報を搬送し、第2の情報は、報告されるべきベースバンド能力範囲を決定するために端末装置によって使用され、これに応じて、端末装置はネットワーク装置によって送信された要求メッセージを受信する。S210における、端末装置が、端末装置のキャリアアグリゲーション能力およびベースバンド能力を決定するステップは、端末装置が、第2の情報に基づいてベースバンド能力を決定することであってもよく、ベースバンド能力は、第2の情報によって示されたベースバンド能力範囲を満たす。要求メッセージは、端末装置の能力を報告することを端末装置に要求するために使用される。
【０１０９】
任意で、第2の情報は、ベースバンド能力範囲を明示的に示してもよい、またはベースバンド能力範囲を暗黙的に示してもよい。これは、本願の実施形態において限定されない。
【０１１０】
任意選択の実施形態では、第2の情報は、ベースバンド能力範囲を明示的に示してもよい。具体的には、第2の情報は、端末装置が報告することを要求されるベースバンド能力範囲を含み、ベースバンド能力範囲は、要求最大MIMO層数、キャリアでサポートされる要求最大MIMO層数、要求最大CSI処理数、キャリアでサポートされる要求最大CSI処理数、キャリアアグリゲーション・グループの要求最大帯域幅、キャリアアグリゲーション・グループ内のキャリアの要求最大帯域幅、およびキャリアアグリゲーション・グループ内のキャリアの要求最大数のうちの少なくとも1つを含む。
【０１１１】
例えば、ベースバンド能力範囲とは、要求最大MIMO層数が2になることであってもよい。端末装置は、MIMO層の数が2以下になり、かつそれがベースバンド能力内にあることを示しているベースバンド能力を、ネットワーク装置に報告してもよい。例えば、図7では第1のグループのベースバンド能力のみが報告され、第2のグループのベースバンド能力は報告されない。
【０１１２】
別の例では、ベースバンド能力範囲とは、キャリアアグリゲーション・グループの要求最大帯域幅が160 Mになることであってもよい。端末装置は、総帯域幅が160 M以下になり、かつこれがベースバンド能力内にあることを示しているベースバンド能力を、ネットワーク装置に報告してもよい。例えば、図6において、160 M以下の総帯域幅に対応するキャリアアグリゲーション・グループのベースバンド能力のみが報告される。
【０１１３】
別の例では、ベースバンド能力範囲は、キャリアアグリゲーション・グループの要求最大帯域幅が160 Mであること、およびキャリアでサポートされる要求最大MIMO層数が24であることを含んでもよい。端末装置は、総帯域幅が160 M以下になり、かつサポートされるMIMO層の数が24以下になり、かつこれがベースバンド能力内にあることを示しているベースバンド能力を、ネットワーク装置に報告してもよい。例えば、図6では第1のグループのベースバンド能力、および第2のグループのベースバンド能力のみが報告される。
【０１１４】
任意で、ベースバンド能力範囲は代替的に、基地局の状態に基づいて基地局によって定式化される、別の範囲であってもよい。これは、本願におけるこの実施形態において限定されない。
【０１１５】
別の任意選択の実施形態では、第2の情報は、ベースバンド能力範囲を暗黙的に示してもよい。具体的には、第2の情報は、端末装置が報告することを要求されるキャリアアグリゲーション・グループ範囲を含み、キャリアアグリゲーション・グループ範囲は、要求最大MIMO層数、要求最大CSI処理数、キャリアアグリゲーション・グループ内のキャリアが配置される要求帯域、キャリアアグリゲーション・グループ内のキャリアの要求最大帯域幅、およびキャリアアグリゲーション・グループ内のキャリアの要求最大数のうちの少なくとも1つを含む。
【０１１６】
具体的には、端末装置が第2の情報に基づいてベースバンド能力を決定するステップは、端末装置が、キャリアアグリゲーション・グループ範囲に基づいてキャリアアグリゲーション能力を決定するステップであって、キャリアアグリゲーション能力はキャリアアグリゲーション・グループ範囲を満たす、ステップと、キャリアアグリゲーション能力に基づいてベースバンド能力範囲を決定するステップであって、ベースバンド能力範囲は、要求最大MIMO層数、キャリアでサポートされる要求最大MIMO層数、要求最大CSI処理数、キャリアでサポートされる要求最大CSI処理数、キャリアアグリゲーション・グループの要求最大帯域幅、キャリアアグリゲーション・グループ内のキャリアの要求最大帯域幅、およびキャリアアグリゲーション・グループ内のキャリアの要求最大数のうちの少なくとも1つを含む、ステップと、ベースバンド能力範囲に基づいてベースバンド能力を決定するステップであって、ベースバンド能力はベースバンド能力範囲を満たす、ステップとを含む。
【０１１７】
例えば、キャリアアグリゲーション・グループ範囲はBand AおよびBand Bを含んでもよく、キャリアの数は4以下であり、各キャリアの帯域幅は20 M以下である。この場合、端末装置は、キャリアアグリゲーション・グループ範囲に基づいて、キャリアアグリゲーション・グループが、Band A［2＊20］＋Band［2＊20］、Band A［1＊20］＋Band B［2＊20］、Band A［2＊20］＋Band B［1＊20］、Band A［1＊20］＋Band B［1＊20］，Band A［2＊10］＋Band B［1＊10］、Band A［1＊10］＋Band B［1＊20］などの、少なくとも1つのキャリアアグリゲーション・グループを含み得ると判定してもよい。
【０１１８】
端末装置は、前述したキャリアアグリゲーション・グループに基づいてベースバンド能力範囲を決定してもよい。ベースバンド能力範囲は、例えば、キャリアアグリゲーション・グループの要求最大帯域幅が80 Mであること、キャリアアグリゲーション・グループ内のキャリアの要求最大帯域幅が20 Mであること、キャリアでサポートされる要求最大MIMO層数が2層であること、ならびにキャリアアグリゲーション・グループ内のキャリアの要求最大数、などのうちの少なくとも1つの範囲を含んでもよい。端末装置は、ベースバンド能力範囲に基づいて、報告されるベースバンド能力を決定する。
【０１１９】
同様に、ネットワーク装置によって端末装置に送信される要求メッセージは、第3の情報をさらに搬送してもよく、第3の情報はアンテナ能力範囲を示すために使用される。これに応じて、端末装置は、ネットワーク装置によって送信された要求メッセージを受信する。S210における、端末装置が、端末装置のキャリアアグリゲーション能力およびベースバンド能力を決定するステップは、端末装置が、アンテナ能力範囲に基づいてアンテナ能力を決定することであってもよく、アンテナ能力は、第3の情報によって示されたアンテナ能力範囲を満たす。
【０１２０】
任意で、アンテナ能力範囲は帯域範囲を示してもよい。
【０１２１】
任意で、端末装置が第2の情報に基づいてベースバンド能力を決定し、ベースバンド能力をネットワーク装置に送信するステップは、端末装置が、ベースバンド能力および第2の情報をネットワーク装置に送信することであってもよい。
【０１２２】
端末装置の能力情報（報告されるキャリアアグリゲーション能力およびベースバンド能力を含む）を取得した後に、ネットワーク装置は、能力情報を記憶して、能力情報を別のネットワーク装置に転送する。したがって、能力情報に第2の情報を追加することによって、別のネットワーク装置が、第2の情報に基づいてベースバンド能力が報告されたことを知ることができ、その結果、別のネットワーク装置は、端末装置の能力を再要求することが必要かどうかを判定する。例えば、ネットワーク装置は、4層以下のMIMOを示すベースバンド能力を報告することを端末装置に要求し、取得した能力を別のネットワーク装置に転送する。別のネットワーク装置が、より多くの層のMIMOをサポートし、かつ能力が4層のMIMOの要件に従って報告されることを知っている場合は、別のネットワーク装置はUEにさらに能力を報告するように要求してもよい。
【０１２３】
図9は、本願における実施形態による、情報伝送方法900の概略的なフローチャートである。方法900は、図1に示す通信システムに適用されてもよい。これは、本願の実施形態において限定されない。
【０１２４】
S910：ネットワーク装置は端末装置に要求メッセージを送信し、要求メッセージは端末装置の能力を報告することを要求するために使用され、これに応じて、端末装置はネットワーク装置によって送信された要求メッセージを受信する。
【０１２５】
S920：端末装置は、要求メッセージに基づいて端末装置のキャリアアグリゲーション能力、ベースバンド能力、およびアンテナ能力を決定し、キャリアアグリゲーション能力は、端末装置によってサポートされるキャリアアグリゲーション・グループ内のキャリアの数、およびキャリアの帯域幅を含み、ベースバンド能力は、MIMO能力およびCSI能力のうちの少なくとも1つを含み、MIMO能力は、端末装置によって処理できるMIMO層の数を示すために使用され、CSI能力は、端末装置によって処理できるCSI処理の数を示すために使用され、アンテナ能力は、少なくとも1つの帯域のそれぞれにおいて端末装置によってサポートされるアンテナ数、および少なくとも1つの帯域の組み合わせのそれぞれにおいて、端末装置によってサポートされる総アンテナ数のうちの少なくとも1つを示すために使用される。
【０１２６】
S930：端末装置は、ネットワーク装置にキャリアアグリゲーション能力、ベースバンド能力、およびアンテナ能力を送信し、これに応じてネットワーク装置は、端末装置によって送信されたキャリアアグリゲーション能力、ベースバンド能力、およびアンテナ能力を受信する。
【０１２７】
S940：ネットワーク装置は、キャリアアグリゲーション能力、ベースバンド能力、およびアンテナ能力に基づいて、端末装置の構成情報を決定し、構成情報は、キャリアアグリゲーション・グループ内の各キャリアで端末装置が動作するときに、端末装置によって使用される目標ベースバンド能力を構成するために使用される。
【０１２８】
本願のこの実施形態の目標ベースバンド能力は、端末装置用にネットワーク装置によって構成される各キャリアのMIMO層の数、およびCSI処理数のうちの少なくとも1つであってよいことを理解されたい。
【０１２９】
任意で、ネットワーク装置は、キャリアアグリゲーション能力、ベースバンド能力、およびアンテナ能力に基づいて、かつキャリアアグリゲーション・グループ内のキャリアが連続キャリアかどうかによって端末装置の構成情報を決定し、構成情報は、キャリアアグリゲーション・グループ内のキャリアで端末装置が動作するときに、端末装置によって使用される目標ベースバンド能力を構成するために使用される。
【０１３０】
S950：ネットワーク装置は、端末装置に構成情報を送信し、これに応じて端末装置は、ネットワーク装置によって送信された構成情報を受信する。
【０１３１】
任意選択の実施形態では、端末装置は、要求メッセージに基づいて、端末装置のキャリアアグリゲーション能力が、Band 1［2＊20 M］、Band 2［2＊20 M］、およびBand 3［2＊40 M］を含むキャリアアグリゲーション・グループ1を含むことと、ベースバンド能力が図6に示される通りになっていることと、アンテナ能力が図10に示される通りになっていることとを判定し、ネットワーク装置にキャリアアグリゲーション・グループ1、ベースバンド能力、およびアンテナ能力を報告する。
【０１３２】
（1）端末装置は、キャリアアグリゲーション・グループ1の総帯域幅が2＊20＋2＊20＋2＊40＝160 Mであること、および図6に示すベースバンド能力に基づいて、キャリアアグリゲーション・グループ1の端末装置の最大MIMO層数が24であり、キャリアアグリゲーション・グループ1の端末装置の最大CSI処理数が10であること、あるいはキャリアアグリゲーション・グループ1の端末装置の最大MIMO層数が20であり、キャリアアグリゲーション・グループ1の端末装置の最大CSI処理数が12であることを決定すると仮定される。
【０１３３】
（2）ネットワーク装置は、キャリアアグリゲーション・グループ1および図10に示すアンテナ能力に基づいて、Band 1の端末装置によってサポートされるアンテナ数が4であること（つまりBand 1＜4＞）、Band 2の端末装置によってサポートされるアンテナ数が4であること（つまりBand 2＜4＞）、Band 3の端末装置によってサポートされるアンテナ数が8であること（つまりBand 3＜8＞）、およびキャリアアグリゲーション・グループでサポートされる総アンテナ数が14であることを決定する。しかしながら、3つの帯域の総アンテナ数は、4＋4＋8＝16である。したがって、3つの帯域用に構成されたアンテナは、2個減らす必要があり、例えば、Band 1＜2＞、Band 2＜4＞、およびBand 3＜8＞、またはBand 1＜4＞、Band 2＜2＞、およびBand 3＜8＞、またはBand 1＜4＞、Band 2＜4＞、およびBand 3＜6＞となる。
【０１３４】
任意で、キャリア能力は、キャリアが連続しているかどうかを示す情報をさらに搬送してもよい。
【０１３５】
（3）アンテナ能力に基づいて、アンテナ構成はBand 1＜4＞、Band 2＜4＞、およびBand 3＜6＞であり、Band 1、Band 2、およびBand 3のそれぞれのキャリアは連続していることがわかると仮定される。この場合、2＊4＝8層のMIMOがBand 1に構成されてもよく、2＊4＝8層のMIMOがBand 2に構成されてもよく、2＊8＝16層のMIMOがBand 3に構成されてもよい。したがって、アンテナ能力に基づいて、端末装置は3つの帯域において、合計32層のMIMOで構成され得る。
【０１３６】
（4）ステップ（1）では、ベースバンド能力に基づいて、端末装置は、3つの帯域において最大24層のMIMO、または20層のMIMOのみで構成できると判定される。したがって、最大20層のMIMO、または24層のMIMOは、ベースバンド能力の制限に基づいて最終的に構成される必要がある。例えば、
Band 1［2CC＊4MIMO］＋Band 2［2CC＊4MIMO］＋Band 3［1CC＊8MIMO＋1CC］、または
Band 1［2CC＊4MIMO］＋Band 2［2CC＊4MIMO］＋Band 3［2CC＊4MIMO］、または
Band 1［2CC］＋Band 2［2CC＊4MIMO］＋Band 3［2CC＊8MIMO］となる。
【０１３７】
これに応じて、最終的に構成されるCSI能力は、単に最大ベースバンド能力に基づいて構成すればよい。
【０１３８】
別の任意選択の実施形態では、端末装置は、要求メッセージに基づいて、端末装置のキャリアアグリゲーション能力が、キャリアアグリゲーション・グループ2 Band 1［40 M］、Band 1［2＊20 M］、およびBand 3［80 M］を含むことと、ベースバンド能力が図6に示される通りになっていることと、アンテナ能力が図10に示される通りになっていることとを判定し、ネットワーク装置にキャリアアグリゲーション・グループ2、ベースバンド能力、およびアンテナ能力を報告する。
【０１３９】
（1）端末装置は、キャリアアグリゲーション・グループ2の総帯域幅が40＋2＊20＋80＝160 Mであること、および図6に示すベースバンド能力に基づいて、キャリアアグリゲーション・グループ2の端末装置の最大MIMO層数が24であり、キャリアアグリゲーション・グループ2の端末装置の最大CSI処理数が10であること、あるいはキャリアアグリゲーション・グループ2の端末装置の最大MIMO層数が20であり、キャリアアグリゲーション・グループ2の端末装置の最大CSI処理数が12であることを判定する。
【０１４０】
（2）ネットワーク装置は、キャリアアグリゲーション・グループ2および図10に示すアンテナ能力に基づいて、Band 1の端末装置によってサポートされるアンテナ数が4であること（つまりBand 1＜4＞）、Band 3の端末装置によってサポートされるアンテナ数が8であること（つまりBand 3＜8＞）、およびキャリアアグリゲーション・グループでサポートされる総アンテナ数が14であることを判定する。しかしながら、3つの帯域の総アンテナ数は、4＋0＋8＝12である。したがってアンテナ数は、最大能力に基づいて3つの帯域すべてのために構成されてもよく、例えば、Band 1＜2＞、Band 1＜2＞、およびBand 3＜8＞、またはBand 1＜4＞、Band 1＜0＞、およびBand 3＜8＞、またはBand 1＜0＞、Band 1＜4＞、およびBand 3＜8＞となる。
【０１４１】
任意で、キャリア能力は、キャリアが連続しているかどうかを示す情報をさらに搬送してもよい。
【０１４２】
（3）アンテナ能力に基づいて、アンテナ構成はBand 1＜2＞、Band 1＜2＞、およびBand 3＜8＞であり、第1のBand 1は1つのキャリアを含み、第2のBand 1は2つのキャリアを含み、Band 1の非連続キャリアは第1のキャリアと、Band 1の第1のキャリアに続く2つのキャリアとを含み、Band 3は1つのキャリアを含むことがわかると仮定される。この場合、第1のBand 1内のキャリアに1＊2＝2層のMIMOが構成されてもよく、第2のBand 1内の2つのキャリアに2＊2＝4層のMIMOが構成されてもよく、Band 3内のキャリアに1＊8＝8層のMIMOが構成されてもよい。したがって、アンテナ能力に基づいて、端末装置は、3つの帯域において14層のMIMOで構成されてもよい。
【０１４３】
（4）ステップ（1）において、ベースバンド能力に基づいて、端末装置は、3つの帯域において、最大24層のMIMO、または20層のMIMOで構成できると判定される。したがって、14層のMIMOは、アンテナ能力の制限に基づいて最終的に構成される必要がある。例えば、
Band 1［1CC＊2MIMO］＋Band 1［2CC＊2MIMO］＋Band 2［1CC＊8MIMO］となる。
【０１４４】
これに応じて、最終的に構成されるCSI能力は、単に14層のMIMOに対応し、かつベースバンド能力内にある最大能力に基づいて構成されればよい。
【０１４５】
前述した内容は、図1から図10を参照しながら、本願における実施形態で提供される情報伝送方法について詳細に説明している。以下、図11から図14を参照しながら、本願における実施形態で提供される端末装置およびネットワーク装置について説明する。
【０１４６】
図11は、本願における実施形態による、端末装置1100の概略的なブロック図である。端末装置1100は、
端末装置のキャリアアグリゲーション能力およびベースバンド能力を決定するように構成された処理ユニット1110であって、キャリアアグリゲーション能力は、端末装置によってサポートされるキャリアアグリゲーション・グループ内のキャリアの数、およびキャリアの帯域幅を含み、ベースバンド能力は、複数入力複数出力MIMO能力、およびチャネル状態情報CSI能力のうちの少なくとも1つを含み、MIMO能力は、端末装置によって処理され得るMIMO層の数を示すために使用され、CSI能力は、端末装置によって処理され得るCSI処理の数を示すために使用される、処理ユニット1110と、
処理ユニット1110によって決定されたキャリアアグリゲーション能力およびベースバンド能力をネットワーク装置に送信するように構成された、送信ユニット1120と、
送信ユニット1120によって送信されたキャリアアグリゲーション能力およびベースバンド能力に基づいてネットワーク装置によって送信された構成情報を、受信するように構成された受信ユニット1130であって、構成情報は、端末装置がキャリアアグリゲーション・グループ内の各キャリアで動作するときに、端末装置によって使用される目標ベースバンド能力を構成するために使用される、受信ユニット1130とを備える。
【０１４７】
任意で、処理ユニットは、端末装置のアンテナ能力を決定するようにさらに構成され、アンテナ能力は、少なくとも1つの帯域のそれぞれにおいて端末装置によってサポートされるアンテナ数、および少なくとも1つの帯域の組み合わせのそれぞれにおいて端末装置によってサポートされる総アンテナ数のうちの、少なくとも1つを示すために使用され、送信ユニットは、キャリアアグリゲーション能力、ベースバンド能力、およびアンテナ能力をネットワーク装置に送信するように特に構成され、受信ユニットは、キャリアアグリゲーション能力、ベースバンド能力、およびアンテナ能力に基づいてネットワーク装置によって送信された構成情報を、受信するように特に構成される。
【０１４８】
任意で、ベースバンド能力はMIMO能力を含み、処理ユニットは、キャリアアグリゲーション・グループ内の各キャリアで端末装置によってサポートされるMIMO能力が、ベースバンド能力によって示されるMIMO能力に到達可能かどうかを判定するようにさらに構成され、送信ユニットは、キャリアアグリゲーション・グループ内のキャリアで端末装置によってサポートされるMIMO能力が、ベースバンド能力によって示されるMIMO能力に到達可能であると判定されたときに、キャリアアグリゲーション能力およびベースバンド能力をネットワーク装置に送信し、キャリアアグリゲーション能力は、キャリアアグリゲーション・グループ内の任意のキャリアで端末装置によってサポートされるMIMO能力を含んでいない、あるいは、キャリアアグリゲーション・グループの第1のキャリアで端末装置によってサポートされるMIMO能力が、ベースバンド能力によって示されるMIMO能力に到達できないと判定されたときに、キャリアアグリゲーション能力およびベースバンド能力をネットワーク装置に送信し、キャリアアグリゲーション能力は、第1のキャリアで端末装置によってサポートされるMIMO能力をさらに含んでいる、ように特に構成される。
【０１４９】
任意で、端末装置のキャリアアグリゲーション能力およびベースバンド能力を端末装置が決定する前に、受信ユニットは、ネットワーク装置によって送信された要求メッセージを受信するようにさらに構成され、要求メッセージは第2の情報を搬送し、第2の情報は、報告されるべきベースバンド能力範囲を決定するために端末装置によって使用され、処理ユニットは、第2の情報に基づいてベースバンド能力を決定し、ベースバンド能力は、第2の情報に基づいて端末装置によって決定されたベースバンド能力範囲を満たす、ように特に構成される。
【０１５０】
任意で、第2の情報は、端末装置が報告することを要求されるキャリアアグリゲーション・グループ範囲を含み、キャリアアグリゲーション・グループ範囲は、要求最大MIMO層数、要求最大CSI処理数、キャリアアグリゲーション・グループ内のキャリアが配置される要求帯域、キャリアアグリゲーション・グループ内のキャリアの要求最大帯域幅、およびキャリアアグリゲーション・グループ内のキャリアの要求最大数のうちの少なくとも1つを含み、処理ユニットは、キャリアアグリゲーション・グループ範囲に基づいてキャリアアグリゲーション能力を決定し、キャリアアグリゲーション能力はキャリアアグリゲーション・グループ範囲を満たし、キャリアアグリゲーション能力に基づいてベースバンド能力範囲を決定し、かつベースバンド能力範囲に基づいてベースバンド能力を決定し、ベースバンド能力はベースバンド能力範囲を満たす、ように特に構成される。
【０１５１】
任意で、第2の情報は、端末装置が報告することを要求されるベースバンド能力範囲を含み、ベースバンド能力範囲は、要求最大MIMO層数、キャリアでサポートされる要求最大MIMO層数、要求最大CSI処理数、キャリアでサポートされる要求最大CSI処理数、キャリアアグリゲーション・グループ内のキャリアの要求最大帯域幅、およびキャリアアグリゲーション・グループ内のキャリアの要求最大数のうちの少なくとも1つを含む。
【０１５２】
任意で、ベースバンド能力は、少なくとも1つの総帯域幅のそれぞれに対応する、キャリアアグリゲーション・グループにおける端末装置のベースバンド能力、および総帯域幅に対応する、キャリアアグリゲーション・グループ内の各キャリアにおける端末装置のベースバンド能力を含み、総帯域幅は、少なくとも1つのキャリアを含むキャリアアグリゲーション・グループ内の全キャリアの帯域幅の合計である。
【０１５３】
任意で、ベースバンド能力についての情報は、少なくとも1つのキャリア情報のそれぞれに対する端末装置のベースバンド能力を含み、キャリア情報は、キャリアの数およびキャリアの帯域幅を含む。
【０１５４】
本明細書の端末装置1100は、機能ユニットの形態で具体化されることを理解されたい。本明細書の「ユニット」という用語は、特定用途向け集積回路（application specific integrated circuit、ASIC）、電子回路、1つ以上のソフトウェアプログラムまたはファームウェアプログラムを実行するように構成されたプロセッサ（例えば、共有プロセッサ、専用プロセッサ、またはグループプロセッサ）、メモリ、統合論理回路、および／または説明した機能をサポートする別の適切な構成部品であってもよい。任意選択の例において、端末装置1100は、具体的には方法200および方法900の実施形態の端末装置であってもよく、かつ端末装置1100は、方法200および方法900の方法実施形態におけるネットワーク装置に対応する、手順および／またはステップを実行するように構成されてもよいことが当業者には理解されよう。繰り返しを避けるために、ここで再度詳細な説明はされない。
【０１５５】
図12は、本願における実施形態による、ネットワーク装置1200の概略的なブロック図である。ネットワーク装置1200は、
端末装置によって送信された、端末装置のキャリアアグリゲーション能力およびベースバンド能力を受信するように構成された受信ユニット1210であって、キャリアアグリゲーション能力は、端末装置によってサポートされるキャリアアグリゲーション・グループ内のキャリアの数、およびキャリアの帯域幅を含み、ベースバンド能力は、複数入力複数出力MIMO能力、およびチャネル状態情報CSI能力のうちの少なくとも1つを含み、MIMO能力は、端末装置によって処理され得るMIMO層の数を示すために使用され、CSI能力は、端末装置によって処理され得るCSI処理の数を示すために使用される、受信ユニット1210と、
受信ユニット1210によって受信されたキャリアアグリゲーション能力およびベースバンド能力に基づいて、端末装置の構成情報を決定するように構成された処理ユニット1220であって、構成情報は、端末装置がキャリアアグリゲーション・グループ内の各キャリアで動作するときに、端末装置によって使用される目標ベースバンド能力を構成するために使用される、処理ユニット1220と、
処理ユニット1220によって決定された構成情報を端末装置に送信するように構成された、送信ユニット1230とを備える。
【０１５６】
任意で、受信ユニットは、端末装置によって送信されたアンテナ能力を受信するようにさらに構成され、アンテナ能力は、少なくとも1つの帯域のそれぞれにおいて端末装置によってサポートされるアンテナ数、および少なくとも1つの帯域の組み合わせのそれぞれにおいて、端末装置によってサポートされる総アンテナ数のうちの少なくとも1つを示すために使用され、処理ユニットは、キャリアアグリゲーション能力、ベースバンド能力、およびアンテナ能力に基づいて、端末装置の構成情報を決定するように特に構成される。
【０１５７】
任意で、ネットワーク装置が、端末装置によって送信された端末装置のキャリアアグリゲーション能力およびベースバンド能力を受信する前に、送信ユニットが、端末装置に要求メッセージを送信するようにさらに構成され、要求メッセージは第2の情報を搬送し、第2の情報は、報告されるべきベースバンド能力範囲を決定するために端末装置によって使用され、受信ユニットは、第2の情報に基づいて端末装置によって送信された、端末装置のキャリアアグリゲーション能力およびベースバンド能力を受信するように特に構成される。
【０１５８】
任意で、第2の情報は、端末装置が報告することを要求されるキャリアアグリゲーション・グループ範囲を含み、キャリアアグリゲーション・グループ範囲は、要求最大MIMO層数、要求最大CSI処理数、キャリアアグリゲーション・グループ内のキャリアが配置される要求帯域、キャリアアグリゲーション・グループ内のキャリアの要求最大帯域幅、およびキャリアアグリゲーション・グループ内のキャリアの要求最大数のうちの少なくとも1つを含む。
【０１５９】
任意で、第2の情報は、端末装置が報告することを要求されるベースバンド能力範囲を含み、ベースバンド能力範囲は、要求最大MIMO層数、キャリアでサポートされる要求最大MIMO層数、要求最大CSI処理数、キャリアでサポートされる要求最大CSI処理数、キャリアアグリゲーション・グループ内のキャリアの要求最大帯域幅、およびキャリアアグリゲーション・グループ内のキャリアの要求最大数のうちの少なくとも1つを含む。
【０１６０】
任意で、ベースバンド能力は、少なくとも1つの総帯域幅のそれぞれに対応する、キャリアアグリゲーション・グループにおける端末装置のベースバンド能力、および総帯域幅に対応する、キャリアアグリゲーション・グループ内の各キャリアにおける端末装置のベースバンド能力を含み、総帯域幅は、少なくとも1つのキャリアを含むキャリアアグリゲーション・グループ内の全キャリアの帯域幅の合計である。
【０１６１】
任意で、ベースバンド能力についての情報は、少なくとも1つのキャリア情報のそれぞれに対する端末装置のベースバンド能力を含み、キャリア情報は、キャリアの数およびキャリアの帯域幅を含む。
【０１６２】
本明細書のネットワーク装置1200は、機能ユニットの形態で具体化されることを理解されたい。本明細書の「ユニット」という用語は、ASIC、電子回路、1つ以上のソフトウェアまたはファームウェアプログラムを実行するように構成されたプロセッサ（例えば、共有プロセッサ、専用プロセッサ、またはグループプロセッサ）、メモリ、統合論理回路、および／または説明した機能をサポートする別の適切な構成部品であってもよい。任意選択の例において、ネットワーク装置1200は、具体的には方法200および方法900の実施形態のネットワーク装置であってもよく、かつネットワーク装置1200は、方法200および方法900の方法実施形態におけるネットワーク装置に対応する、手順および／またはステップを実行するように構成されてもよいことが当業者には理解されよう。繰り返しを避けるために、ここで再度詳細な説明はされない。
【０１６３】
図13は、本願における実施形態による、端末装置1300を示す。端末装置1300は、図1、図2、図13の端末装置であってもよい。図13に示すハードウェアアーキテクチャは、端末装置に使用され得る。端末装置は、プロセッサ1310と、送受信機1320と、メモリ1330とを備えてもよい。プロセッサ1310と、送受信機1320と、メモリ1330とは、内部通信経路を使用して互いに通信する。図11の処理ユニット1110によって実施される関連機能は、プロセッサ1310によって実施されてもよく、送信ユニット1120、および受信ユニット1130によって実施される関連機能は、送受信機1320を制御することによってプロセッサ1310によって実施されてもよい。
【０１６４】
プロセッサ1310は、1つ以上のプロセッサを含んでもよく、例えば、1つ以上の中央処理ユニット（central processing unit、CPU）を含む。プロセッサが1つのCPUのとき、CPUは、シングルコアCPUまたはマルチコアCPUであってもよい。
【０１６５】
送受信機1320は、データおよび／または信号を送受信し、かつデータおよび／または信号を受信するように構成される。送受信機は、送信機と受信機とを含んでもよい。送信機はデータおよび／または信号を送信し、受信機はデータおよび／または信号を受信するように構成される。
【０１６６】
メモリ1330は、これに限定されないが、ランダムアクセスメモリ（random access memory、RAM）、読み出し専用メモリ（read−only memory、ROM）、消去可能なプログラム可能メモリ（erasable programmable read only memory、EPROM）、およびコンパクトディスク読み出し専用メモリ（compact disc read−only memory、CD−ROM）を含む。メモリ1330は、関連する命令およびデータを記憶するように構成される。
【０１６７】
メモリ1330は、端末装置のプログラムコードおよびデータを記憶するように構成され、個別の装置であってもよく、またはプロセッサ1310と一体化されてもよい。
【０１６８】
具体的には、プロセッサ1310は、ネットワーク装置に対する情報送信を実行するために、送受信機を制御するように構成される。詳細については、方法実施形態の説明を参照されたい。ここで再度詳細に説明はされない。
【０１６９】
図13は、単に端末装置の簡略化した設計を示していることが理解されよう。実際の適用中に、端末装置は、これに限定されないが、任意の数の送受信機、プロセッサ、コントローラ、メモリなどの他の必要な構成部品をさらに含んでもよく、本願を実施できるすべての端末装置が本願の保護の範囲に入るものとする。
【０１７０】
可能な設計において、端末装置1300は、チップ装置と置き換えられてもよく、例えば、端末装置に使用可能で、端末装置のプロセッサ1310の関連機能を実施するように構成された通信チップであってもよい。チップ装置は、フィールド・プログラマブル・ゲート・アレイ、専用集積チップ、システムチップ、中央処理ユニット、ネットワークプロセッサ、デジタル信号処理回路、または関連機能を実施するためのマイクロコントローラであってもよく、あるいはプログラム可能コントローラまたはその他の集積チップであってもよい。任意で、チップは、プログラムコードを記憶するように構成された1つ以上のメモリを含んでもよい。コードが実行されると、プロセッサは、対応する機能を実施することが可能になる。
【０１７１】
図14は、本願における実施形態による、ネットワーク装置1400を示す。ネットワーク装置1400は、図1から図4までのネットワーク装置であってもよく、図14に示すハードウェアアーキテクチャがネットワーク装置に使用されてもよい。ネットワーク装置は、プロセッサ1410と、送受信機1420と、メモリ1430とを備えてもよい。プロセッサ1410と、送受信機1420と、メモリ1430とは、内部通信経路を使用して互いに通信する。図12の処理ユニット1220によって実施される関連機能は、プロセッサ1410によって実施されてもよく、受信ユニット1210、および送信ユニット1230によって実施される関連機能は、送受信機1420を制御することによってプロセッサ1410によって実施されてもよい。
【０１７２】
プロセッサ1410は、1つ以上のプロセッサを含んでもよく、例えば、1つ以上のCPUを含む。プロセッサが1つのCPUのとき、CPUは、シングルコアCPUまたはマルチコアCPUであってもよい。
【０１７３】
送受信機1420は、データおよび／または信号を送受信し、かつデータおよび／または信号を受信するように構成される。送受信機は、送信機と受信機とを含んでもよい。送信機はデータおよび／または信号を送信し、受信機はデータおよび／または信号を受信するように構成される。
【０１７４】
メモリ1430は、これに限定されないが、RAM、ROM、EPROM、およびCD−ROMを含む。メモリ1430は、関連する命令およびデータを記憶するように構成される。
【０１７５】
メモリ1430は、ネットワーク装置のプログラムコードおよびデータを記憶するように構成され、個別の装置であってもよく、またはプロセッサ1410と一体化されてもよい。
【０１７６】
具体的には、プロセッサ1410は、端末装置に対する情報送信を実行するために、送受信機を制御するように構成される。詳細については、方法実施形態の説明を参照されたい。ここで再度詳細に説明はされない。
【０１７７】
図14は、単にネットワーク装置の簡略化した設計を示していることが理解されよう。実際の適用中に、ネットワーク装置は、これに限定されないが、任意の数の送受信機、プロセッサ、コントローラ、メモリなどの他の必要な構成部品をさらに含んでもよく、本願を実施できるすべてのネットワーク装置が本願の保護の範囲にすべて入るものとする。
【０１７８】
可能な設計において、ネットワーク装置1400は、チップ装置と置き換えられてもよく、例えば、ネットワーク装置に使用可能で、ネットワーク装置のプロセッサ1410の関連機能を実施するように構成された通信チップであってもよい。チップ装置は、フィールド・プログラマブル・ゲート・アレイ、専用集積チップ、システムチップ、中央処理ユニット、ネットワークプロセッサ、デジタル信号処理回路、または関連機能を実施するためのマイクロコントローラであってもよく、あるいはプログラム可能コントローラまたはその他の集積チップであってもよい。任意で、チップは、プログラムコードを記憶するように構成された1つ以上のメモリを含んでもよい。コードが実行されると、プロセッサは、対応する機能を実施することが可能になる。
【０１７９】
本願における実施形態は、通信装置をさらに提供する。通信装置は、端末装置であってもよく、あるいは回路であってもよい。通信装置は、前述した方法の実施形態において、端末装置によって実行される動作を行うように構成されてもよい。
【０１８０】
通信装置が端末装置のとき、図15は、端末装置の簡略化された概略構造図である。理解および図示を簡単にするために、図15では、端末装置が携帯電話の例が使用されている。図15に示すように、端末装置は、プロセッサ、メモリ、無線周波数回路、アンテナ、および入力／出力装置を備える。プロセッサは、主として通信プロトコル、および通信データを処理し、端末装置を制御し、ソフトウェアプログラムを実行し、ソフトウェアプログラムのデータを処理するなどのために構成される。メモリは、主としてソフトウェアプログラムおよびデータを記憶するように構成される。無線周波数回路は主として、ベースバンド信号と無線周波数信号との間で変換を行って、無線周波数信号を処理するように構成される。アンテナは、主として無線周波数信号を電磁波の形態で送受信するように構成される。タッチ画面、表示画面、またはキーボードなどの入力／出力装置は主として、ユーザによって入力されたデータ、およびユーザによって出力されたデータを受信するように構成される。いくつかの種類の端末装置は、入力／出力装置を有していなくてもよいことに留意されたい。
【０１８１】
データが送信されることが必要になると、プロセッサは、送信されるべきデータにベースバンド処理を行い、その後、無線周波数回路にベースバンド信号を出力する。ベースバンド信号に無線周波数処理を実行した後に、無線周波数回路は、アンテナを使用して電磁波の形態で無線周波数信号を送信する。端末装置にデータが送信されると、無線周波数回路は、アンテナを使用して無線周波数信号を受信し、無線周波数信号をベースバンド信号に変換して、プロセッサにベースバンド信号を出力する。プロセッサは、ベースバンド信号をデータに変換して、データを処理する。図示を簡単にするために、図15は、1つのメモリおよび1つのプロセッサのみを示す。実際の端末装置製品は、1つ以上のプロセッサ、および1つ以上のメモリがあってもよい。メモリは、記憶媒体、記憶装置などと呼ばれてもよい。メモリは、プロセッサから独立して配置されてもよく、またはプロセッサと一体化されてもよい。これは、本願におけるこの実施形態において限定されない。
【０１８２】
本願におけるこの実施形態では、送受信機能を有するアンテナおよび無線周波数回路は、端末装置の送受信機ユニットと考えられてもよく、処理機能を有するプロセッサは、端末装置の処理ユニットと考えられてもよい。図15に示すように、端末装置は、送受信機ユニット1510と、処理ユニット1520とを備える。送受信機ユニットは、送受信機、送受信器、送受信装置などと呼ばれてもよい。処理ユニットは、プロセッサ、処理ボード、処理モジュール、処理装置などと呼ばれてもよい。任意で、送受信機ユニット1510内にあって、受信機能を実施するように構成された部品は受信ユニットと考えられてもよく、送受信機ユニット1510内にあって、送信機能を実施するように構成された部品は送信ユニットと考えられてもよい。つまり、送受信機ユニット1510は、受信ユニットと送信ユニットとを備える。送受信機ユニットは、送受信機、送受信器、送受信機回路などと呼ばれる場合もある。受信ユニットは、受信機、受信器、受信回路などと呼ばれる場合もある。送信ユニットは、送信機、送信器、送信回路などと呼ばれる場合もある。
【０１８３】
送受信機ユニット1510は、前述した方法実施形態において、端末装置側で送信動作および受信動作を行うように構成され、処理ユニット1520は、前述した方法実施形態において、端末装置で受信動作および送信動作以外の別の動作を行うように構成されることを理解されたい。
【０１８４】
例えば、実施において、送受信機ユニット1510は、図2のステップS220において端末装置側で送信動作を行う、またはステップS240において端末装置側で受信動作を行うように構成され、かつ／あるいは送受信機ユニット1510は、本願の実施形態において、端末装置側で他の受信および送信ステップを行うようにさらに構成される。処理ユニット1520は、図2のステップS210を行うように構成され、かつ／あるいは処理ユニット1520は、本願の実施形態において、端末装置側で別の処理ステップを行うようにさらに構成される。
【０１８５】
別の例として、別の実施では、送受信機ユニット1510は、図9のステップS910およびステップS950において端末装置側で受信動作を行う、またはステップS930において端末装置側で送信動作を行うように構成され、かつ／あるいは送受信機ユニット1520は、本願の実施形態において、端末装置側で他の受信および送信ステップを行うようにさらに構成される。処理ユニット1520は、図9のステップS920を行うように構成され、かつ／あるいは処理ユニット1520は、本願の実施形態において、端末装置側で別の処理ステップを行うようにさらに構成される。
【０１８６】
通信装置がチップであるとき、チップは送受信機ユニットと処理ユニットとを含む。送受信機ユニットは、入力／出力回路、または通信インターフェースであってもよい。処理ユニットは、チップに集積されたプロセッサ、マイクロプロセッサ、または集積回路である。
【０１８７】
この実施形態における通信装置が端末装置のときは、図16に示す装置を参照されたい。例では、装置は、図13のプロセッサ1310に類似した機能を完備してもよい。図16に示すように、装置は、プロセッサ1610と、データ送信プロセッサ1620と、データ受信プロセッサ1630とを備える。前述の実施形態のプロセッサ1110は、図16のプロセッサ1610であってもよく、対応する機能を完備する。前述の実施形態の送信ユニット1120は、図16のデータ送信プロセッサ1620であってもよく、受信ユニット1130は、図16のデータ受信プロセッサ1630であってもよい。図16は、チャネル符号化器およびチャネル復号器を示しているが、モジュールは単なる例であり、本実施形態に制限を課すものではないことは理解されよう。
【０１８８】
図17は、本実施形態の別の形態を示す。処理装置1700は、変調サブシステム、中央処理サブシステム、および周辺サブシステムなどのモジュールを含む。この実施形態の通信装置は、処理装置1700の変調サブシステムとして使用されてもよい。具体的には、変調サブシステムは、プロセッサ1703と、インターフェース1704とを備えてもよい。プロセッサ1703は前述の処理モジュール1110の機能を完備し、インターフェース1704は前述の送信ユニット1120および／または受信ユニット1130の機能を完備する。別の変形では、変調サブシステムは、メモリ1706と、プロセッサ1703と、メモリ1706に記憶されてプロセッサで実行され得るプログラムとを含む。プログラムを実行すると、プロセッサ1703は、前述の方法実施形態において、端末装置側で方法を実施する。メモリ1706は、不揮発性であってもよく、揮発性であってもよいことに留意されたい。メモリ1206がプロセッサ1703に結合され得る限りにおいて、メモリ1706は、変調サブシステムに配置されてもよく、あるいは処理装置1700に配置されてもよい。
【０１８９】
この実施形態の別の形態では、コンピュータ可読記憶媒体が提供される。コンピュータ可読記憶媒体は、命令を記憶する。命令が実行されると、前述の方法実施形態における端末装置側の方法が実行される。
【０１９０】
この実施形態の別の形態では、命令を含むコンピュータプログラム製品が提供される。命令が実行されると、前述の方法実施形態における端末装置側の方法が実行される。
【０１９１】
本明細書に開示された実施形態で説明した例を組み合わせて、ユニットおよびアルゴリズムステップを、電子的ハードウェア、またはコンピュータソフトウェアと電子的ハードウェアとの組み合わせによって実施できることが当業者には認識されているであろう。機能は、ハードウェアで実行されるかソフトウェアで実行されるかは、技術的解決策の特定の用途および設計の制約条件による。当業者であれば、各特定用途に対して、説明した機能を実施するために異なる方法を用いることができるが、この実施が本願の範囲を逸脱すると考えられるべきではない。
【０１９２】
簡便かつ簡潔な説明のために、前述のシステム、装置、およびユニットの詳細な作業工程については、前述の方法の実施形態の対応する工程を参照されたく、ここでは再度詳細に説明されないことが、当業者には明確に理解されよう。
【０１９３】
本願で提供されるいくつかの実施形態において、開示されたシステム、装置、および方法は、他の方法で実施されてもよいことが理解されるべきである。例えば、説明した装置の実施形態は、単なる例である。例えば、ユニットに分割することは、単なる論理的機能分割であって、実際の実装時には他の分割であってもよい。例えば、複数のユニットまたは構成要素が、別のシステムと組み合わせられるか、またはこれと一体化されてもよく、あるいはいくつかの特徴は、無視するかまたは実行しなくてもよい。また、示されるかあるいは論じられた、相互結合または直接結合、もしくは通信接続は、いくつかのインターフェースを用いて実装されてもよい。装置間またはユニット間の間接的結合もしくは通信接続は、電子的形態、機械的形態、または他の形態で実装されてもよい。
【０１９４】
個別の部分として説明されたユニットは、物理的に分離していても分離していなくてもよく、また、ユニットとして示された部分は、物理的ユニットであってもそうでなくてもよく、1つの位置に配置されても、複数のネットワークユニット上に分散していてもよい。実施形態の解決策の目的を達成するための実際の要件に基づいて、ユニットの一部または全体を選択してもよい。
【０１９５】
また、本願における実施形態の機能ユニットは、1つの処理ユニットに一体化されてもよく、またはユニットのそれぞれが単独で物理的に存在してもよく、または2つ以上のユニットが1つのユニットに一体化されてもよい。
【０１９６】
機能が、ソフトウェアの機能ユニットの形態で実装され、独立した製品として販売または使用されるとき、この機能は、コンピュータ可読記憶媒体の中に記憶されてもよい。このような理解に基づいて、本願の技術的解決策は本質的にまたは従来技術に寄与する部分は、あるいは技術的解決策の一部は、ソフトウェア製品の形態で実装されてもよい。コンピュータソフトウェア製品は、記憶媒体に記憶され、本願の実施形態で説明された方法のステップの全部または一部を実行するように、コンピュータ機器（例えば、パーソナルコンピュータ、サーバ、ネットワーク装置などであってもよい）に指示する、いくつかの命令を含んでいる。前述の記憶媒体には、USBフラッシュドライブ、着脱可能ハードディスク、ROM、RAM、磁気ディスク、または光ディスクなどの、プログラムコードを記憶可能な任意の媒体が含まれる。
【０１９７】
前述した説明は、単に本願の具体的な実施形態の特定の例であって、本願の保護の範囲を限定することを意図するものではない。本願で開示されている技術的範囲内で、当業者が容易に思いつく任意の変形または置き換えは、本願の保護の範囲内に入るものとする。したがって、本願の保護範囲は、特許請求の範囲の保護範囲によって決まるものとする。
【符号の説明】
【０１９８】
100  通信システム
110  ネットワーク装置
120  端末装置
200  情報伝送方法
900  情報伝送方法
1100  端末装置
1110  処理ユニット
1120  送信ユニット
1130  受信ユニット
1200  ネットワーク装置
1206  メモリ
1210  受信ユニット
1220  処理ユニット
1230  送信ユニット
1300  端末装置
1310  プロセッサ
1320  送受信機
1330  メモリ
1400  ネットワーク装置
1410  プロセッサ
1420  送受信機
1430  メモリ
1510  送受信機ユニット
1520  処理ユニット
1610  プロセッサ
1620  データ送信プロセッサ
1630  データ受信プロセッサ
1700  処理装置
1703  プロセッサ
1704  インターフェース
1706  メモリ
【図１】
2020535750.tif 000003
【図２】
2020535750.tif 000004
【図３】
2020535750.tif 000005
【図４】
2020535750.tif 000006
【図５】
2020535750.tif 000007
【図６】
2020535750.tif 000008
【図７】
2020535750.tif 000009
【図８】
2020535750.tif 000010
【図９】
2020535750.tif 000011
【図１０】
2020535750.tif 000012
【図１１】
2020535750.tif 000013
【図１２】
2020535750.tif 000014
【図１３】
2020535750.tif 000015
【図１４】
2020535750.tif 000016
【図１５】
2020535750.tif 000017
【図１６】
2020535750.tif 000018
【図１７】
2020535750.tif 000019
【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
端末装置のキャリアアグリゲーション能力およびベースバンド能力を決定するステップ（S210）であって、前記キャリアアグリゲーション能力が、前記端末装置によってサポートされるキャリアアグリゲーション帯域の組み合わせ内のキャリアの数、およびキャリアの帯域幅を含み、前記ベースバンド能力が、複数入力複数出力（MIMO）能力を含み、前記MIMO能力が、前記端末装置によって処理されることが可能なMIMO層の数を示すために使用される、ステップ（S210）と、
前記キャリアアグリゲーション能力および前記ベースバンド能力の情報を送信するステップ（S220）と、
構成情報を受信するステップ（S240）であって、前記構成情報が、前記キャリアアグリゲーション能力および前記ベースバンド能力の前記情報に基づく、ステップ（S240）と
を含む、情報伝送方法。
【請求項２】
前記方法が、
要求メッセージを受信するステップであって、前記要求メッセージが第2の情報を搬送し、前記第2の情報が、報告されるべきベースバンド能力範囲を決定するように前記端末装置に指示する、ステップをさらに含み、
端末装置によって、前記端末装置のキャリアアグリゲーション能力およびベースバンド能力を決定する前記ステップが、
前記第2の情報に基づいて前記ベースバンド能力を決定するステップであって、前記ベースバンド能力が、前記ベースバンド能力範囲を満たす、ステップを含む、
請求項1に記載の方法。
【請求項３】
前記第2の情報が、前記端末装置が報告することを要求されるキャリアアグリゲーション帯域の組み合わせ範囲を含み、前記キャリアアグリゲーション帯域の組み合わせ範囲が、前記キャリアアグリゲーション帯域の組み合わせ内の前記キャリアが配置される要求帯域、前記キャリアアグリゲーション帯域の組み合わせ内のキャリアの要求最大帯域幅、および前記キャリアアグリゲーション帯域の組み合わせ内の前記キャリアの要求最大数のうちの少なくとも1つを含み、
前記第2の情報に基づいて前記ベースバンド能力を決定する前記ステップが、
前記キャリアアグリゲーション能力を決定するステップであって、前記キャリアアグリゲーション能力が前記キャリアアグリゲーション帯域の組み合わせ範囲を満たす、ステップと、
前記キャリアアグリゲーション能力に基づいて前記ベースバンド能力範囲を決定するステップと、
前記ベースバンド能力を決定するステップであって、前記ベースバンド能力が前記ベースバンド能力範囲を満たす、ステップとを含む、
請求項2に記載の方法。
【請求項４】
前記第2の情報が、前記端末装置が報告することを要求されるベースバンド能力範囲を含み、前記ベースバンド能力範囲が、前記キャリアアグリゲーション帯域の組み合わせの要求最大帯域幅、前記キャリアアグリゲーション帯域の組み合わせ内のキャリアの要求最大帯域幅、および前記キャリアアグリゲーション帯域の組み合わせ内の前記キャリアの要求最大数のうちの少なくとも1つを含む、請求項2に記載の方法。
【請求項５】
端末装置のキャリアアグリゲーション能力およびベースバンド能力の情報をネットワーク装置によって受信するステップ（S220）であって、前記キャリアアグリゲーション能力が、前記端末装置によってサポートされるキャリアアグリゲーション帯域の組み合わせ内のキャリアの数、およびキャリアの帯域幅を含み、前記ベースバンド能力が、複数入力複数出力（MIMO）能力を含み、前記MIMO能力が、前記端末装置によって処理されることが可能なMIMO層の数を示すために使用される、ステップ（S220）と、
前記ネットワーク装置によって、前記キャリアアグリゲーション能力および前記ベースバンド能力の情報に基づいて、前記端末装置の構成情報を決定するステップ（S230）と、
前記ネットワーク装置によって、前記端末装置に前記構成情報を送信するステップ（S240）と
を含む、情報伝送方法。
【請求項６】
前記方法が、
前記ネットワーク装置によって、前記端末装置に要求メッセージを送信するステップであって、前記要求メッセージが第2の情報を搬送し、前記第2の情報が、報告されるべきベースバンド能力範囲を決定するように前記端末装置に指示する、ステップをさらに含み、
前記端末装置の前記キャリアアグリゲーション能力および前記ベースバンド能力が、前記第2の情報に基づく、
請求項5に記載の方法。
【請求項７】
前記第2の情報が、前記端末装置が報告することを要求されるベースバンド能力範囲を含み、前記ベースバンド能力範囲が、前記キャリアアグリゲーション帯域の組み合わせの要求最大帯域幅、前記キャリアアグリゲーション帯域の組み合わせ内のキャリアの要求最大帯域幅、および前記キャリアアグリゲーション帯域の組み合わせ内の前記キャリアの要求最大数のうちの少なくとも1つを含む、請求項6に記載の方法。
【請求項８】
装置であって、
前記装置のキャリアアグリゲーション能力およびベースバンド能力を決定するように構成された処理ユニット（1110）であって、前記キャリアアグリゲーション能力が、前記装置によってサポートされるキャリアアグリゲーション帯域の組み合わせ内のキャリアの数、およびキャリアの帯域幅を含み、前記ベースバンド能力が、複数入力複数出力（MIMO）能力を含み、前記MIMO能力が、前記装置によって処理されることが可能なMIMO層の数を示すために使用される、処理ユニット（1110）と、
前記処理ユニットによって決定された前記キャリアアグリゲーション能力および前記ベースバンド能力の情報を送信するように構成された、送信ユニット（1120）と、
構成情報を受信するように構成された受信ユニット（1130）であって、前記構成情報が、前記キャリアアグリゲーション能力および前記ベースバンド能力の情報に基づく、受信ユニットと
を備える、装置。
【請求項９】
前記受信ユニット（1130）が、ネットワーク装置によって送信された要求メッセージを受信するようにさらに構成され、前記要求メッセージが第2の情報を搬送し、前記第2の情報が、報告されるべきベースバンド能力範囲を決定するように前記装置に指示し、
前記処理ユニット（1110）が、前記第2の情報に基づいて前記ベースバンド能力を決定し、前記ベースバンド能力が、前記ベースバンド能力範囲を満たす、ように特に構成される、
請求項8に記載の装置。
【請求項１０】
前記第2の情報が、前記装置が報告することを要求されるキャリアアグリゲーション帯域の組み合わせ範囲を含み、前記キャリアアグリゲーション帯域の組み合わせ範囲が、前記キャリアアグリゲーション帯域の組み合わせ内の前記キャリアが配置される要求帯域、前記キャリアアグリゲーション帯域の組み合わせ内の前記キャリアの要求最大帯域幅、および前記キャリアアグリゲーション帯域の組み合わせ内の前記キャリアの要求最大数のうちの少なくとも1つを含み、
前記処理ユニット（1110）が、
前記キャリアアグリゲーション帯域の組み合わせ範囲に基づいて前記キャリアアグリゲーション能力を決定し、前記キャリアアグリゲーション能力が前記キャリアアグリゲーション帯域の組み合わせ範囲を満たし、
前記キャリアアグリゲーション能力に基づいて前記ベースバンド能力範囲を決定し、
前記ベースバンド能力範囲に基づいて前記ベースバンド能力を決定し、前記ベースバンド能力が前記ベースバンド能力範囲を満たす、
ように特に構成される、請求項9に記載の装置。
【請求項１１】
前記第2の情報が、前記装置が報告することを要求されるベースバンド能力範囲を含み、前記ベースバンド能力範囲が、前記キャリアアグリゲーション帯域の組み合わせの要求最大帯域幅、前記キャリアアグリゲーション帯域の組み合わせ内のキャリアの要求最大帯域幅、および前記キャリアアグリゲーション帯域の組み合わせ内の前記キャリアの要求最大数のうちの少なくとも1つを含む、請求項9に記載の装置。
【請求項１２】
端末装置のキャリアアグリゲーション能力およびベースバンド能力の情報を受信するように構成された受信ユニット（1210）であって、前記キャリアアグリゲーション能力が、前記端末装置によってサポートされるキャリアアグリゲーション帯域の組み合わせ内のキャリアの数、およびキャリアの帯域幅を含み、前記ベースバンド能力が、複数入力複数出力（MIMO）能力を含み、前記MIMO能力が、前記端末装置によって処理されることが可能なMIMO層の数を示すために使用される、受信ユニット（1210）と、
前記受信ユニットによって受信された前記キャリアアグリゲーション能力および前記ベースバンド能力の情報に基づいて、前記端末装置の構成情報を決定するように構成された処理ユニット（1220）と、
前記構成情報を前記端末装置に送信するように構成された、送信ユニット（1230）と
を備える、ネットワーク装置。
【請求項１３】
前記送信ユニット（1230）が、前記端末装置に要求メッセージを送信するようにさらに構成され、前記要求メッセージが第2の情報を搬送し、前記第2の情報が、報告されるべきベースバンド能力範囲を決定するように前記端末装置に指示し、
前記端末装置の前記キャリアアグリゲーション能力および前記ベースバンド能力の情報が、前記第2の情報に基づく、請求項12に記載のネットワーク装置。
【請求項１４】
前記第2の情報が、前記端末装置が報告することを要求されるベースバンド能力範囲を含み、前記ベースバンド能力範囲が、前記キャリアアグリゲーション帯域の組み合わせの要求最大帯域幅、前記キャリアアグリゲーション帯域の組み合わせ内のキャリアの要求最大帯域幅、および前記キャリアアグリゲーション帯域の組み合わせ内の前記キャリアの要求最大数のうちの少なくとも1つを含む、請求項13に記載のネットワーク装置。
【請求項１５】
コンピュータプログラムを記憶するコンピュータ可読記憶媒体であって、前記プログラムがプロセッサによって実行されると、請求項1から4のいずれか一項に記載の情報伝送方法が実施される、コンピュータ可読記憶媒体。
【請求項１６】
コンピュータプログラムを記憶するコンピュータ可読記憶媒体であって、前記プログラムがプロセッサによって実行されると、請求項5から7のいずれか一項に記載の情報伝送方法が実施される、コンピュータ可読記憶媒体。
【請求項１７】
メモリと、プロセッサと、前記メモリに記憶され前記プロセッサで実行可能なプログラムとを備える通信装置であって、前記プログラムを実行すると、前記プロセッサが、請求項1から4のいずれか一項に記載の通信方法を実施する、通信装置。
【請求項１８】
メモリと、プロセッサと、前記メモリに記憶され前記プロセッサで実行可能なプログラムとを備える通信装置であって、前記プログラムを実行すると、前記プロセッサが、請求項5から7のいずれか一項に記載の通信方法を実施する、通信装置。
【請求項１９】
請求項8から11のいずれか一項に記載の装置と、請求項12から14のいずれか一項に記載のネットワーク装置とを備える、通信システム。
【手続補正２】
【補正対象書類名】明細書
【補正対象項目名】０００６
【補正方法】変更
【補正の内容】
【０００６】
本出願は、シグナリングオーバーヘッドを削減する、情報伝送方法、端末装置、およびネットワーク装置を提供する。
【手続補正３】
【補正対象書類名】明細書
【補正対象項目名】００１０
【補正方法】変更
【補正の内容】
【００１０】
言い換えれば、端末装置は、キャリアアグリゲーション・グループ内の各キャリアのベースバンド能力をキャリアに追加する必要がなく、その結果、シグナリングオーバーヘッドを削減することができる。
【手続補正４】
【補正対象書類名】明細書
【補正対象項目名】００５６
【補正方法】変更
【補正の内容】
【００５６】
任意で、ネットワーク装置は、特定の地理的領域に通信カバレッジを提供でき、カバレッジエリア内のUEと通信することができる。ネットワーク装置は、GSMシステムまたはCDMAシステムにおける基地局（base transceiver station、BTS）であってもよく、あるいはWCDMA（登録商標）システムにおけるNodeB（nodeB、NB）、ロング・ターム・エボリューション（long term evolution、LTE）システムにおける進化型NodeB（evolved node B、eNBまたはeNodeB）、あるいはクラウド無線アクセスネットワーク（cloud radio access network、CRAN）における無線コントローラであってもよい。ネットワーク装置は代替的に、コアネットワーク装置、中継局、アクセスポイント、車載機器、着用可能な装置、次世代の5GまたはNRネットワークにおけるネットワーク側装置、次世代の進化型地上波公共移動通信ネットワーク（public land mobile network、PLMN）におけるネットワーク装置などであってもよい。
【手続補正５】
【補正対象書類名】明細書
【補正対象項目名】００８８
【補正方法】変更
【補正の内容】
【００８８】
ベースバンド能力は、キャリアアグリゲーション・グループで24層のMIMOがサポートされているときは、10のCSI処理がサポートされることを示す。したがって、Band 1、Band 2、またはBand 3から選択された1つの帯域のみのために2つのCSI処理が構成され、残りの帯域に対して4つのCSI処理が構成される。あるいは、ベースバンド能力は、キャリアアグリゲーション・グループで12のCSI処理がサポートされているときは、20層のMIMOがサポートされることを示す。したがって、Band 1、Band 2、およびBand 3から1つの帯域が選択され、帯域に対して構成されるMIMOが4層削減される。あるいは2つの帯域が選択され、帯域に対して構成されるMIMOは、個別にそれぞれ2層削減される。
【手続補正６】
【補正対象書類名】明細書
【補正対象項目名】００８９
【補正方法】変更
【補正の内容】
【００８９】
本願のこの実施形態で提供される情報伝送方法によれば、端末装置は、ベースバンド能力をキャリアアグリゲーション能力から切り離す。具体的に言うと、ベースバンド能力はキャリアアグリゲーション能力とは無関係である。したがって、端末装置は、ネットワーク装置にキャリアアグリゲーション能力とともにベースバンド能力を報告することはないが、端末装置レベルの情報としてベースバンド能力をネットワーク装置に別に報告し、その結果、ネットワーク装置は、キャリアアグリゲーション能力およびベースバンド能力に基づいて端末装置の構成情報を決定し、キャリアアグリゲーション能力報告プロセスにおけるシグナリングオーバーヘッドを削減することができる。
【手続補正７】
【補正対象書類名】明細書
【補正対象項目名】００９２
【補正方法】変更
【補正の内容】
【００９２】
例えば、端末装置はBand 1［1＊160 M］で動作し、Band 1はCC 1を含むと仮定される。図6に示すベースバンド能力は、端末装置が、CC 1において8層のMIMOをサポートすることを示す。しかしながら帯域では、端末装置は2層のMIMOしか処理できない。つまり、CC 1で端末装置によってサポートされるMIMO能力は、ベースバンド能力によって示されるMIMO能力に到達できない。この場合、端末装置は、キャリアアグリゲーション能力内のCC 1で端末装置によってサポートされるMIMO能力を示してもよい。
【手続補正８】
【補正対象書類名】明細書
【補正対象項目名】００９５
【補正方法】変更
【補正の内容】
【００９５】
端末装置のCSI能力は、端末装置によってサポートされるベースバンドによって処理され得るCSI能力とのみ関連があるので、ネットワーク装置は、キャリアアグリゲーション能力およびベースバンド能力のみに基づいて、端末装置の構成情報を決定できることを理解されたい。
【手続補正９】
【補正対象書類名】明細書
【補正対象項目名】００９６
【補正方法】変更
【補正の内容】
【００９６】
しかしながら、端末装置のMIMO能力は、端末装置によってサポートされるベースバンドによって処理できるMIMO能力に関連するだけでなく、端末装置によって処理できるアンテナ能力にも関連する。つまり、端末装置によってサポートされるMIMO能力は、ベースバンド能力およびアンテナ能力によって制限される。
【手続補正１０】
【補正対象書類名】明細書
【補正対象項目名】００９９
【補正方法】変更
【補正の内容】
【００９９】
任意で、本方法は、端末装置によって、端末装置のアンテナ能力を決定するステップをさらに含み、アンテナ能力は、少なくとも1つの帯域のそれぞれにおいて端末装置によってサポートされるアンテナ数、および少なくとも1つの帯域の組み合わせのそれぞれにおいて端末装置によってサポートされる総アンテナ数のうちの少なくとも1つを示すために使用される。S220における、端末装置がネットワーク装置にキャリアアグリゲーション能力およびベースバンド能力を送信するステップは、端末装置が、ネットワーク装置にキャリアアグリゲーション能力、ベースバンド能力、およびアンテナ能力を送信することであってもよい。これに応じて、ネットワーク装置は、端末装置によって送信されたキャリアアグリゲーション能力、ベースバンド能力、およびアンテナ能力を受信する。
【手続補正１１】
【補正対象書類名】明細書
【補正対象項目名】０１０７
【補正方法】変更
【補正の内容】
【０１０７】
端末装置が、キャリアアグリゲーション能力、ベースバンド能力、およびアンテナ能力をネットワーク装置に報告した後に、ネットワーク装置は、端末装置のキャリアアグリゲーション能力、ベースバンド能力、およびアンテナ能力に加えて、ネットワーク装置のリソース条件、例えば、ネットワーク装置によってサポートされるベースバンド能力および周波数領域リソースを考慮することがさらに必要なことを理解されたい。
【手続補正１２】
【補正対象書類名】明細書
【補正対象項目名】０１１７
【補正方法】変更
【補正の内容】
【０１１７】
例えば、キャリアアグリゲーション・グループ範囲はBand AおよびBand Bを含んでもよく、キャリアの数は4以下であり、各キャリアの帯域幅は20 M以下である。この場合、端末装置は、キャリアアグリゲーション・グループ範囲に基づいて、キャリアアグリゲーション・グループが、Band A［2＊20］＋Band B［2＊20］、Band A［1＊20］＋Band B［2＊20］、Band A［2＊20］＋Band B［1＊20］、Band A［1＊20］＋Band B［1＊20］，Band A［2＊10］＋Band B［1＊10］、Band A［1＊10］＋Band B［1＊20］などの、少なくとも1つのキャリアアグリゲーション・グループを含み得ると判定してもよい。
【手続補正１３】
【補正対象書類名】明細書
【補正対象項目名】０１１８
【補正方法】変更
【補正の内容】
【０１１８】
端末装置は、前述したキャリアアグリゲーション・グループに基づいてベースバンド能力範囲を決定してもよい。ベースバンド能力範囲は、例えば、キャリアアグリゲーション・グループの要求最大帯域幅が80 Mであること、キャリアアグリゲーション・グループ内のキャリアの要求最大帯域幅が20 Mであること、キャリアでサポートされる要求最大MIMO層数が2層であること、ならびにキャリアアグリゲーション・グループ内のキャリアの要求最大数が5であること、などのうちの少なくとも1つの範囲を含んでもよい。端末装置は、ベースバンド能力範囲に基づいて、報告されるベースバンド能力を決定する。
【手続補正１４】
【補正対象書類名】明細書
【補正対象項目名】０１２２
【補正方法】変更
【補正の内容】
【０１２２】
端末装置の能力情報（報告されるキャリアアグリゲーション能力およびベースバンド能力を含む）を取得した後に、ネットワーク装置は、能力情報を記憶して、能力情報を別のネットワーク装置に転送する。したがって、能力情報に第2の情報を追加することによって、別のネットワーク装置が、第2の情報に基づいてベースバンド能力が報告されたことを知ることができ、その結果、別のネットワーク装置は、端末装置の能力を再要求することが必要かどうかを判定する。例えば、ネットワーク装置は、4層以下のMIMOを示すベースバンド能力を報告することを端末装置に要求し、取得した能力を別のネットワーク装置に転送する。別のネットワーク装置が、より多くの層のMIMOをサポートし、かつ能力が4層のMIMOの要件に従って報告されることを知っている場合は、別のネットワーク装置は端末装置にさらに能力を報告するように要求してもよい。
【手続補正１５】
【補正対象書類名】明細書
【補正対象項目名】０１４８
【補正方法】変更
【補正の内容】
【０１４８】
任意で、ベースバンド能力はMIMO能力を含み、処理ユニットは、キャリアアグリゲーション・グループ内の各キャリアで端末装置によってサポートされるMIMO能力が、ベースバンド能力によって示されるMIMO能力に到達可能かどうかを判定するようにさらに構成され、送信ユニットは、キャリアアグリゲーション・グループ内のキャリアで端末装置によってサポートされるMIMO能力が、ベースバンド能力によって示されるMIMO能力に到達可能であるときに、キャリアアグリゲーション能力およびベースバンド能力をネットワーク装置に送信し、キャリアアグリゲーション能力は、キャリアアグリゲーション・グループ内の任意のキャリアで端末装置によってサポートされるMIMO能力を含んでいない、あるいは、キャリアアグリゲーション・グループの第1のキャリアで端末装置によってサポートされるMIMO能力が、ベースバンド能力によって示されるMIMO能力に到達できないときに、キャリアアグリゲーション能力およびベースバンド能力をネットワーク装置に送信し、キャリアアグリゲーション能力は、第1のキャリアで端末装置によってサポートされるMIMO能力をさらに含んでいる、ように特に構成される。
【手続補正１６】
【補正対象書類名】明細書
【補正対象項目名】０１４９
【補正方法】変更
【補正の内容】
【０１４９】
任意で、端末装置のキャリアアグリゲーション能力およびベースバンド能力を処理ユニットが決定する前に、受信ユニットは、ネットワーク装置によって送信された要求メッセージを受信するようにさらに構成され、要求メッセージは第2の情報を搬送し、第2の情報は、報告されるべきベースバンド能力範囲を決定するために端末装置によって使用され、処理ユニットは、第2の情報に基づいてベースバンド能力を決定し、ベースバンド能力は、第2の情報に基づいて端末装置によって決定されたベースバンド能力範囲を満たす、ように特に構成される。
【手続補正１７】
【補正対象書類名】明細書
【補正対象項目名】０１５４
【補正方法】変更
【補正の内容】
【０１５４】
本明細書の端末装置1100は、機能ユニットの形態で具体化されることを理解されたい。本明細書の「ユニット」という用語は、特定用途向け集積回路（application specific integrated circuit、ASIC）、電子回路、1つ以上のソフトウェアプログラムまたはファームウェアプログラムを実行するように構成されたプロセッサ（例えば、共有プロセッサ、専用プロセッサ、またはグループプロセッサ）、メモリ、統合論理回路、および／または説明した機能をサポートする別の適切な構成部品であってもよい。任意選択の例において、端末装置1100は、具体的には方法200および方法900の実施形態の端末装置であってもよく、かつ端末装置1100は、方法200および方法900の方法実施形態における端末装置に対応する、手順および／またはステップを実行するように構成されてもよいことが当業者には理解されよう。繰り返しを避けるために、ここで再度詳細な説明はされない。
【手続補正１８】
【補正対象書類名】明細書
【補正対象項目名】０１８８
【補正方法】変更
【補正の内容】
【０１８８】
図17は、本実施形態の別の形態を示す。処理装置1700は、変調サブシステム、中央処理サブシステム、および周辺サブシステムなどのモジュールを含む。この実施形態の通信装置は、処理装置1700の変調サブシステムとして使用されてもよい。具体的には、変調サブシステムは、プロセッサ1703と、インターフェース1704とを備えてもよい。プロセッサ1703は前述の処理ユニット1110の機能を完備し、インターフェース1704は前述の送信ユニット1120および／または受信ユニット1130の機能を完備する。別の変形では、変調サブシステムは、メモリ1706と、プロセッサ1703と、メモリ1706に記憶されてプロセッサで実行され得るプログラムとを含む。プログラムを実行すると、プロセッサ1703は、前述の方法実施形態において、端末装置側で方法を実施する。メモリ1706は、不揮発性であってもよく、揮発性であってもよいことに留意されたい。メモリ1206がプロセッサ1703に結合され得る限りにおいて、メモリ1706は、変調サブシステムに配置されてもよく、あるいは処理装置1700に配置されてもよい。
【国際調査報告】
2020535750.tif 000020
2020535750.tif 000021
2020535750.tif 000022
2020535750.tif 000023